(57)【要約】床に立つ人が、物体を伸長ロッドで支え、ベースに物体を押しつけて物体と固定ベースを連結することにより、天井から、または天井に取りつける物体を、天井に固定されたベースに取外し可能に連結する。物体をロッドに挿入し、ロッドに力を加えて物体をベースから外し、物体をロッドで支えながら下げることにより、物体を取り外す。したがって、人が手で触れることなく、物体が天井に配置され、または天井から吊される。その物体を用いて、掲示、煙探知器などの他の機器を取りつけることができ、あるいは当該機器をマウントの一部に含めることができる。
2004515728.tif 000002
【特許請求の範囲】
【請求項１】
支持体に安定的に取付け可能なベースと、
前記ベースに取付け可能なカバーと、
前記カバーと前記ベースとを保持する磁気デバイスと、
前記ベースに前記カバーを保持する選択的動作可能な機械的リテーナと
を備えた器具取付け構造体。
【請求項２】
前記磁気デバイスは磁石および鉄板を備え、前記磁石は前記ベースまたは前記カバーに取りつけられ、前記鉄板は反対側の部材に取りつけられる、請求項１に記載の器具取付け構造体。
【請求項３】
前記磁気デバイスは、前記ベースおよび前記カバーに協調的に関連して、前記選択的動作可能な機械的リテーナが意図的または非意図的に外された場合に前記ベースと前記カバーとを保持する、請求項１に記載の器具取付け構造体。
【請求項４】
前記選択的動作可能な機械的リテーナは、前記ベースおよび前記カバーに協調的に関連して、前記磁気デバイスが意図的または非意図的に外れた場合に前記ベースと前記カバーを保持する、請求項１に記載の器具取付け構造体。
【請求項５】
前記選択的動作可能な機械的リテーナはクリップおよび保持部材を備え、前記クリップは前記カバーに取りつけられ、前記保持部材は前記ベースに取りつけられる、請求項４に記載の器具取付け構造体。
【請求項６】
前記クリップはクリップ・ホルダ内に収容され、前記クリップは、引込ツールを用いることにより前記クリップ・ホルダ内に引込み可能である、請求項５に記載の器具取付け構造体。
【請求項７】
前記保持部材は保持リングである、請求項６に記載の器具取付け構造体。
【請求項８】
前記保持リングはその外縁に沿って溝が設けられている、請求項７に記載の器具取付け構造体。
【請求項９】
電池稼動式電灯器具をさらに含む、請求項８に記載の器具取付け構造体。
【請求項１０】
煙検知機をさらに含む、請求項８に記載の器具取付け構造体。
【請求項１１】
前記選択的動作可能な機械的リテーナはクリップおよび保持部材を備え、前記クリップは前記カバーに取りつけられ、前記保持部材は前記ベースに取りつけられる、請求項１に記載の器具取付け構造体。
【請求項１２】
前記クリップはクリップ・ホルダ内に収容され、前記クリップは、引込ツールを用いることにより前記クリップ・ホルダ内に引込み可能である、請求項１１に記載の器具取付け構造体。
【請求項１３】
前記ベースは、前記カバーに対する電気結線をさらに含む、請求項１に記載の器具取付け構造体。
【請求項１４】
前記電気結線は、前記カバーと前記ベースの間に信号連結器を提供する、請求項１３に記載の器具取付け構造体。
【請求項１５】
前記カバーは、前記ベースから前記カバーに電力をつなぐ手段をさらに備えた、請求項１３に記載の器具取付け構造体。
【請求項１６】
前記ベースから前記カバーに電力をつなぐ手段は、固定端子および導電性リングを備えた、請求項１５に記載の器具取付け構造体。
【請求項１７】
電灯器具をさらに備えた、請求項１６に記載の器具取付け構造体。
【請求項１８】
煙検知機さらに備えた、請求項１６に記載の器具取付け構造体。
【請求項１９】
前記機械的リテーナを操作して、前記カバーから前記ベースを外すために前記機械的リテーナに対して配置可能なツールをさらに含む、請求項１に記載の器具取付け構造体。
【請求項２０】
力を加えて前記磁気デバイスを外すための伸長部材をさらに含む、請求項１９に記載の器具取付け構造体。
【請求項２１】
前記伸長部材はポールである、請求項２０に記載の器具取付け構造体。
【請求項２２】
ベースと、
前記ベース内で一体的に形成されたロッド取付け手段と、
前記ロッド取付け手段とある角度をなして前記ベースから伸びる連結手段と
を備えた器具設置および取外しツール。
【請求項２３】
前記ベースはＴ形ベースである、請求項２２に記載の器具設置および取外しツール。
【請求項２４】
前記ロッド取付け手段はねじ付き受け器である、請求項２２に記載の器具設置および取外しツール。
【請求項２５】
前記ロッド取付け手段は刃止めねじをさらに含む、請求項２４に記載の器具設置および取外しツール。
【請求項２６】
前記ベースは、受取りスロット、およびラッチ・デバイスを受けるための手段を含む補強板をさらに備えた、請求項１に記載の器具取付け構造体。
【請求項２７】
前記選択的動作可能な機械的リテーナはラッチである、請求項２６に記載の器具取付け構造体。
【請求項２８】
支持体に安定的に取付け可能なベースと、
前記ベースに取付け可能なカバーと、
前記ベースに前記カバーを保持する選択的動作可能な機械的リテーナと
を備え、
前記選択的動作可能な機械的リテーナはタッチ・ラッチである器具取付け構造体。
【請求項２９】
支持体に安定的に取付け可能なベースと、
前記ベースに取付け可能なカバーと、
前記ベースに前記カバーを保持する選択的動作可能な機械的リテーナと
を備え、
前記選択的動作可能な機械的リテーナはスラム・ラッチである器具取付け構造体。
【請求項３０】
保持機構を有する第１の相対的固定部品と、
前記第１の部品に対して相対的に移動可能であるとともに、それに対して取付け可能である第２の部品と、
前記第２の部品に対して一時的に連結して、前記第１の部品に対して、また前記第１の部品を保持するために前記第２の部品を配置するツールと、
前記ツールと前記第２の部品を保持するラッチであって、前記第２の部品が前記第１の部品に対して配置されると取外し可能となるラッチとを備えた器具取付けシステム。
【請求項３１】
ツールを使用して１つの部材を操作することにより、１つの部材をマウントに対して取りつけることができる取付けシステムおよび関連ツールのためのラッチであって、
前記１つの部材と前記ツールの連結関係を維持する選択的動作可能なリテーナと、
前記１つの部材の取付けに反応して前記１つの部材の前記ツールからの分離を促進するレリーズを備えたラッチ。
【請求項３２】
マウントに対して１つの部材が取りつけられる取付けシステムのためのラッチ機構であって、
前記マウントに対して前記１つの部材を操作するためのツールと、
前記ツールと前記１つの部材の間の連結関係を維持する選択的動作可能なリテーナと、
前記マウントに対する前記１つの部材の取付けに応答して、前記リテーナを解放して前記ツールと前記１つの部材の分離を促進するレリーズ機構とを備えたラッチ機構。
【請求項３３】
他の物体から支持されるように構成された第１の部品と、機器を支持するように構成された第２の部品と、
前記第１および第２の部品を保持し、第１の磁気リテーナおよび機械作動式リテーナを含む保持機構と
を備えた取付けシステム。
【請求項３４】
複数の部材のための保持システムであって、
前記複数の部材の１つ部材を前記複数の部材の他の部材に対して保持するための磁気リテーナと、
前記１つの部材と前記他の部材を保持する選択的動作可能な機械的リテーナとを備えた保持システム。
【請求項３５】
ある物体を他の部材から取りつけるための取付けシステムであって、
支持体に取付け可能な第１の部材と、
第１の部材に選択的に着脱可能な第２の部材と、
前記第１の部材と連動する第１の部分と、前記第２の部材と連動する第２の部分とを有する第１の磁気接続機構であって、前記部分は互いに共同で前記第１の部材と第２の部材を保持する第１の磁気接続機構と、
前記第１の部材と連動する第１の部分と、前記第２の部材と連動する第２の部分とを有する第１の選択的動作可能な接続機構とを備えた取付けシステム。
【請求項３６】
１つの部材が磁気リテーナの少なくとも一部と連動し、他の部材が前記磁気リテーナの少なくとも第２の部分と連動する、複数の部材に対する連結方法であって、
前記１つおよび他の部材を前記磁気リテーナに近接させて配置することで、それらを保持すること、および
機械的リテーナを使用して前記１つおよび他の部材を保持することを含む方法。
【請求項３７】
電気機器を所定の位置に取りつけるための取付けシステムにおいて、電気機器は電気接続要件を有する取付けシステムであって、
前記所定の位置に配置された他の機器に対して比較的永久的に取付け可能なベースであって、電源に接続可能な第１および第２の電気端子を有するベースと、
所定の位置から比較的離れた位置から操作しながら前記ベースに着脱可能なカバーであって、前記ベースは第３および第４の電気端子を有し、前記第１および第３の電気端子は、一般に、第２および第４の電気端子のそれぞれを囲む領域を定めるカバーとを備え、
前記第１および第３の電気端子の少なくとも一方は、前記ベースとカバーが刺激されると、前記第１および第３の電気端子の他方による刺激に応答して弾力的に変形するように動作可能である取付けシステム。
【請求項３８】
人が部屋の床に立っているときに腕を伸ばしても届かない部屋の天井に固定された第２の固定サブアセンブリに第１の懸垂サブアセンブリを取外し可能に連結するアセンブリにおいて、前記改良は、
前記懸垂サブアセンブリおよび前記固定サブアセンブリを、どちらも人が直接手で接触することなく互いに位置合せ可能かつ取外し可能に連結可能とすることを含み、
前記第２の固定サブアセンブリは、
天井または他の頭上位置に固定されたベースであって、全体的に下方に伸びる壁を有するベースと、
前記ベースの壁に含まれる連結手段の第１の部分とを備え、
前記第２の懸垂サブアセンブリは、
全体的に平面の床を有する取付け部材と、
前記取付け部材に含まれる連結手段の第２の部分と、
前記取付け部材と一体的に形成されたロッド受け手段であって、伸長ロッド部材の一端と協働するように構成されたロッド受け手段とを備えた、アセンブリ。
【請求項３９】
前記ロッド受け手段は、ソケットおよび指状突起から選択されるロッド取付け手段である、請求項３８に記載のアセンブリ。
【請求項４０】
前記連結手段の第１の部分は磁気手段を備え、前記第２の部分は、前記懸垂サブアセンブリが前記固定サブアセンブリと連結されるときに前記磁気手段との位置合せが可能な鉄板を備えた、請求項３９に記載のアセンブリ。
【請求項４１】
前記連結手段の第１の部分は磁気手段を備え、前記第２の部分は、前記懸垂サブアセンブリが前記固定サブアセンブリと連結されるときに前記第１の磁気手段とのとの位置合せが可能な第２の磁気手段を備えた、請求項３９に記載のアセンブリ。
【請求項４２】
前記連結手段は、一方の部材が前記懸垂サブアセンブリと一体化し、他方の部材が前記固定サブアセンブリと一体化している懸垂手段を備えた、請求項３９に記載のアセンブリ。
【請求項４３】
前記連結手段は、一方の部材が前記懸垂サブアセンブリに含まれ、他方の部材が前記固定サブアセンブリに含まれるラッチ手段を備えた、請求項３９に記載のアセンブリ。
【請求項４４】
前記連結手段は、前記懸垂サブアセンブリが前記固定サブアセンブリと連結されるときに、互いに重なるそれぞれの傾斜面の圧入により壁がしっかりと固定されるように、ベース上の傾斜壁と、対応するマウント上の傾斜壁とを備えた、請求項３９に記載のアセンブリ。
【請求項４５】
前記連結手段は、一方の部材が前記懸垂サブアセンブリ内に接着固定され、他方の部材が前記固定サブアセンブリ内に接着固定されるフックおよびアイレット手段を備えた、請求項３９に記載のアセンブリ。
【請求項４６】
前記磁気手段は、天井に固定された全体的に平面の床を有する皿状ベースに固定された少なくとも１つの磁石を含み、鉄板は、前記懸垂サブアセンブリが前記固定サブアセンブリに連結されるときに磁石に重なる鋼リングである、請求項４０に記載のアセンブリ。
【請求項４７】
前記磁気手段は、皿状ベースと間隔を空けて配置されて固定される複数の磁石を含む、請求項４６に記載のアセンブリ。
【請求項４８】
前記懸垂手段の一方の部材は、外方向に向かって上方に突出する懸垂サブアセンブリの周辺壁におよびその床によって形成される頂点内の溝で、他方の部材は、下方に突出する前記固定サブアセンブリの周辺壁のリムである、請求項４２に記載のアセンブリ。
【請求項４９】
ラッチ手段の一方の部材は、側方に間隔を空けて配置される１つまたは複数の受金具を備え、他方の部材は、受金具を着脱するために受金具に対して平行移動可能なラッチ・アームを備え、ラッチ・アームは、そのベースが、連結されたときに受金具の側方面に支持されるようにラッチ・アームに固定される直立ラッチを含む、請求項４３に記載のアセンブリ。
【請求項５０】
各受金具は、傾斜面および実質的に側方面を備えた全体的に三角形の断面を有するＶ形部に終端を有し、各ラッチは、傾斜面および実質的に側方面を有する下方に伸びるスタブを備えた全体的に三角形の断面を有するＶ形部に終端を有する、請求項４９に記載のアセンブリ。
【請求項５１】
前記懸垂サブアセンブリの平面床は、天井からの物体を懸垂固定するように構成された締結手段が設けられる、請求項４９に記載のアセンブリ。
【請求項５２】
前記懸垂サブアセンブリの平面床は、カップ状部材、およびカップ状部材の下面に取りつけられた懸垂部材を含み、前記懸垂部材は、前記カップ状部材、および天井からの物体を懸垂固定するように構成された締結手段によって与えられる下面よりはるかに大きい下面を有する、請求項３８に記載のアセンブリ。
【請求項５３】
前記懸垂部材は、ロッドの末端が挿入されるように構成された貫通路をその周辺付近に含む、請求項５２に記載のアセンブリ。
【請求項５４】
煙感知器および警報器アセンブリが、前記懸垂サブアセンブリの平面床から懸垂的に取りつけられている、請求項４６に記載のアセンブリ。
【請求項５５】
前記固定サブアセンブリは、下方に伸びる周辺壁を備えた床を有するベース、および締結手段によって床の下面に固定された複数の磁石を備え、懸垂サブアセンブリは、少なくとも１つの鋼板が固定された平面床を有する平面部材を備え、磁石９４と正反対の位置で、磁石９４に合わせた位置において、前記懸垂サブアセンブリが前記固定サブアセンブリに連結される、請求項４６に記載のサブアセンブリ。
【請求項５６】
人が部屋の床に立っているときに腕を伸ばしても届かない部屋の天井に固定された固定サブアセンブリに煙感知器および警報器アセンブリを取外し可能に連結するアセンブリであって、前記煙感知器および前記警報器アセンブリは、コンポーネント取付け床およびカバー、ならびに前記コンポーネント取付け床に取りつけられた交換式電池を含むアセンブリにおいて、前記改良は、
前記煙検知器および前記警報器アセンブリおよび前記固定サブアセンブリを、どちらも人が手で直接接触することなく、角力を加えることによって互いに位置合せ可能かつ取外し可能に連結可能とすることを含み、
前記固定サブアセンブリは、
天井に固定されたベースであって、全体的に下方に伸びる壁を有するベースと、
ベースの壁に含まれる連結手段の第１の部分とを備え、
前記煙検知器および前記警報器アセンブリは、
全体的に平面のコンポーネント取付け床と、
コンポーネント取付け床に含まれる連結手段の第２の部分であって、前記第２の部分はコンポーネント取付け床の上面に配置され、コンポーネントは床の下面に配置される連結手段の第２の部分と、
カバーと一体的に形成されたロッド受け手段であって、伸長ロッド手段の一端と協働して連結力を圧倒するように構成されたロッド受け手段とを備えた、アセンブリ。
【請求項５７】
前記ロッド受け手段はロッド取付け手段である、請求項５６に記載のアセンブリ。
【請求項５８】
前記ロッド取付け手段は、ソケットおよび指状突起から選択される、請求項５７に記載のアセンブリ。
【請求項５９】
人が部屋の床に立っているときに腕を伸ばしても届かない部屋の天井に固定された固定ベース部材に懸垂照明器具サブアセンブリを取外し可能に連結するアセンブリにおいて、前記改良は、
前記懸垂照明器具サブアセンブリおよび前記固定ベース部材を、どちらも人が手で直接接触することなく、互いに位置合せ可能かつ取外し可能に連結可能とすることを含み、
固定ベース部材は、
天井に固定されたベースであって、下方に突出した内側に伸びる周辺壁を有し、壁の外面はベース部材の垂直センターラインに向かって傾斜するベースと、
ベースの下面から下方に突出するボスであって、中央凹部および環状ショルダを有し、中央凹部は、天井における第１の電線と電気接続する第１の端子を有し、環状ショルダは、天井における第２の電線と電気接続する第２の端子を有するボスとを備え、
懸垂照明器具サブアセンブリは、
全体的に平面の床、および上方に突出する外側に伸びる周辺壁を有する取付け部材であって、壁の内面は取付け部材の垂直センターラインから傾斜し、内側に伸びるベースの壁と合わせるように固定されるように構成される取付け部材と、
床の上面から上方に突出するボスであって、中央凹部および環状ショルダを有し、中央凹部は、ベースにおける第１の端子と電気接続する第３の端子を有し、環状ショルダは、ベースにおける第２の端子と電気接続する第４の端子を有するボスと、
取付け部材と一体的に形成されたロッド取付け手段であって、伸長ロッド手段の一端と協働するように構成されたロッド取付け手段とを備え、
照明器具サブアセンブリがベース部材と連結されるときに、ベース上の壁の上方傾斜面と、取付け部材の壁の対応傾斜面が、互いに重なるそれぞれの傾斜面の圧入によりしっかりと固定される、アセンブリ。
【請求項６０】
固定サブアセンブリを懸垂サブアセンブリに取外し可能に連結して部屋の天井に取りつける方法であって、
前記固定サブアセンブリを天井に固定し、前記固定サブアセンブリは連結手段の第１の部分を含み、
前記懸垂サブアセンブリを伸長ロッドの端部で支持し、前記懸垂サブアセンブリは、連結手段の第２の部分およびロッド受け手段を含み、
前記懸垂サブアセンブリの位置を前記固定サブアセンブリに合わせて連結手段を嵌め込み、かつ
ロッドを取り外すことを含む方法。
【請求項６１】
前記懸垂サブアセンブリに固定されたロッド取付け手段をロッドに一端に取りつけること、
前記固定サブアセンブリから前記懸垂サブアセンブリを外すのに十分な力をロッドに加えること、
前記外した懸垂サブアセンブリを前記ロッドの端部で支持すること、および
前記懸垂サブアセンブリを下げることを包含し、その後に前記固定サブアセンブリから前記懸垂サブアセンブリを外す、請求項５９に記載の方法。
【請求項６２】
前記固定サブアセンブリと前記懸垂サブアセンブリの間に磁石および鉄板を挿入することを含む、サブアセンブリを磁気的に連結することを包含する、請求項５９に記載の方法。
【請求項６３】
その壁の対応傾斜面の間の締り嵌めによりサブアセンブリを固定すること、および
前記固定サブアセンブリの端子と電気接続し、次に天井における導電線と電気接続する前記懸垂サブアセンブリの端子を設けることを含む、請求項５９に記載の方法。
【請求項６４】
前記ロッド取付け手段は、平滑な穴とねじ切り穴を有するソケットから選択される、請求項６０に記載の方法。
【請求項６５】
前記ソケットは平滑な穴を有し、力は、固定ベースの垂直センターラインに対してある角度で加えられる、請求項６３に記載の方法。
【請求項６６】
前記ソケットはねじ切り穴を有し、前記ロッドは一端がソケットにねじ込み固定され、前記力は、固定ベースの垂直センターラインと同軸上で加えられる、請求項６１に記載の方法。
【発明の詳細な説明】
【０００１】
（発明の属する技術分野）
本発明は、部屋の床に立って、車椅子に座って、あるいは自力ではアセンブリに届かない状態でアセンブリを操作する人間による、部屋の天井または他の頭上位置に配置されたアセンブリに対する到達手段の改良に関する。該アセンブリの主目的は、掲示の如き物体を吊し、あるいは煙探知器や警報器、または必然的に天井に固定し、再生、整備もしくは点検のために定期的に取り外す他の電気作動器具のような機器を懸垂支持することである。本発明のアセンブリは、壁、天井、ポール、または実質的に他の任意の部材、部品等から様々な機器を取りつけ、または支持するのに使用することもでき、かつ／または当該機器の一部に含めることができる。
【０００２】
（背景技術）
米国特許第５，４７２，１６３号（Ｃａｌｌａｓ）に開示されているような磁気ホルダを使用して、直立金属支持体上に掲示を表示する。永久磁石を一対の金属板の間に押し込み、支持体に水平安定性および強い保持力を与えるように形成された殻に封入する。掲示のシャフトを収容するのに殻の頂部に取りつけられた直立円筒状のアダプタを使用する。
【０００３】
ここで解決する課題は、第５，４７２，１６３号の特許の課題とは異なる。本発明は、典型的な日常生活において、天井または他の頭上位置から吊した物体または吊そうとする物体を扱うときに遭遇する問題に関している。すなわち、登る手段、例えば梯子を使用せずに、如何にして、高くて手の届かない天井または他の頭上位置に物体を配置したり手で固定したりするかという問題である。その後、その頭上位置は、通常の天井のように人が上方に手を伸ばしても全く届かないため、該物体を取り外す必要が生じたときに、床より高い表面に登ることなく、如何にしてその物体を取り外すか。本明細書では「高い」天井と呼ぶ当該天井の高さは、約８フィート（２．４４メートル）から約３０フィート（９．１２メートル）の範囲にある。
【０００４】
本明細書に開示する新規なアセンブリの一態様は２つの個別部品を含み、その１つの第１の部品は、天井、壁または他の頭上位置、通常は手の届かない位置に固定され、他方の第２の部品は物体に連結され、あるいは第１の部品と取外し可能に内部連結する、すなわち第１の部品の本体内の連結手段と連結するように構成された物体そのものでありうる。アセンブリのコンポーネントは、本明細書では「ロッド」と略記される手動操作伸長ツールまたはロッドで物体を取外し可能に高位置に固定するように構成されるため、梯子の使用、アセンブリの下に梯子を運ぶ労力、および梯子の上に立って高位置のアセンブリを扱うことによって生じる事故のリスクが回避される。
【０００５】
玩具、衣類、食品雑貨、ハードウェア、建材および事務用品のような商品は、一般には、店内において店の天井から吊された掲示によって宣伝されている。当該掲示は、顧客を特定の商品、例えば食品雑貨店におけるパンに誘導する役割を果たすことができ、あるいは特定の品目の「特価品」を宣伝する役割を果たすことができる。店内における商品の場所は、「特価品」が週替わりで提供されるのに従って頻繁に変更されるため、掲示の場所ならびに掲示自体もそれに応じて変化せざるを得ない。これは、典型的には、通常閉店後に行われる時間のかかる仕事で、従業員は、取り換えるべき掲示から掲示に梯子を運び、あるいは電動シザー・ジャックを使用して掲示から掲示に移動し、取り換えることが必要である。終日オープンの店舗（「２４時間店舗」）では、顧客に怪我をさせるリスクを避けようとするなら、店舗内の顧客の数が最も少なくなったときに掲示を取り換えなければならない。
【０００６】
多くの祝典では、祝賀掲示、飾りリボンおよびバルーンが天井から吊され、通常は吊り電灯または天井換気扇の如き懸垂器具に固定される。レストランやホテルは祝典専用の「パーティ・ルーム」を有しており、当該ルームの天井には、天井と同じ色を有し、平らになるように天井にネジ止めされるフックが設けられることがある。それらのフックを使用して、その場その場で取り換えることが必要なバルーンや飾りリボンを吊すことになるが、それにはかなりの時間を要する作業が伴う。梯子の上に立って天井のアイボルトの瞳にフックを挿入し、または一束のバルーンを吊り下げる他のフックを天井のフックに掛ける単純作業は、労力と時間を要する作業である。装飾物を取り換える毎に梯子に登ることなく懸垂装飾物を取り換えられれば、費用が著しく抑えられ効率が高められる。
【０００７】
比較的頻繁に接触することが求められる、天井から吊される他の物体としては、電池が切れたときにその電池を交換しなければならない電池稼動式（または電池搭載）煙探知器および警報器（「煙警報器」）がある。天井に固定された煙警報器の電池を交換したことがある人であればわかるように、電池を交換する必要があることに気づくとすぐにその交換に専念することは困難であり、梯子に登りながら手を伸ばして電池を取り外して交換しなければならないことにより作業は複雑なものとなる。典型的には、電池は、煙警報器の本体の安定的に固定されたハーネスに挿入される。その作業を容易にし、腕にかかる応力を小さくして電池を交換することを可能にするために、米国特許第５，５７７，６９６号（Ｋｒａｍｅｒ）には、天井に締結される鋼製基板が開示されている。すなわち、磁石を鋼製基板に配置すると、煙警報器が天井に保持されるように、煙警報器に固定された受器に磁石を保持する。電池を取り換えるときに、磁気連結器によって基板から煙警報器を取り外すことができるものの、そうするためには梯子に登らなければならない。梯子上の人によって作業が行われ、磁石が都合よくその人の腕の届く範囲内にあれば、鋼板の位置を天井に固定された磁石に合わせる困難さが最小限になる。簡単に利用できる梯子を用いても天井にある磁石に鋼板の位置を合わせる場合は、その単純作業が極めて困難になり、天井が高くなるほど作業が厄介になり、その人が車椅子に乗っている場合はまず不可能である。その課題に対する解決策が既に存在するのであれば、梯子を用いることなく煙警報器を取り外す方がはるかに便利ではるかに安全であることは考えれば自明のことである。
【０００８】
例えば、本発明の新奇のアセンブリの２つの部品はサブアセンブリを含むことができ、そのうちの１つだけが、作業者により、規定の精度およびより少ない力で容易に操作できるほうきの柄または他の伸長ロッドを用いて、部屋の床に立ったまま手で着脱可能とすることで天井から取り外すことが可能である。
【０００９】
（発明の概要）
天井または他の頭上位置に固定されるように構成されたアセンブリは、床の上に立つ人間により、手で直接触れることなく、ロッドまたは他の伸長部材を用いて着脱可能な一対の第１および第２のサブアセンブリを含む。第１のサブアセンブリは天井または他の頭上位置に固定することができるため、固定サブアセンブリと称し、あるいは「ベース部材」または「ベース」と略記される。第２のサブアセンブリは、物体、例えばフックまたは電気器具を固定する表面を提供し、取外し可能にベースに連結される。第２のサブアセンブリは、吊される物体を取りつけるのに使用され、またはそれ自体が吊される物体のベースによって与えられるため、懸垂サブアセンブリと称し、あるいは「取付け部材」または「マウント」と略記される。２つのサブアセンブリ、すなわちベースおよびマウントは、遠隔脱着連結手段、例えば磁気によって、あるいはおよびベースおよびマウントにそれぞれ粘着固定されるベルクロ（登録商標）ファスナに提供されるような合せフックおよびアイレットによって、あるいは周辺デテントのようなベースおよびマウントで一体形成されたデテント手段、またはラッチ手段、または締り嵌めによって互いに連結される。ソケットまたは指状突起、またはマウントの貫通路のようなロッド受け手段も、マウントがベースに配置されるか、そこから取り外されるかに応じて脱着手段として機能する。ロッド受け手段がロッド取付け手段である場合は、マウントに固定されるか、またはマウントと一体的に形成することができ、安定的に支えられるようにロッドの一端に固定されるように構成される。部屋の床からそれを操作する人によってロッドに力が加えられると、マウントは容易にベースに連結、またはベースから分断され、長いロッドをてことして利用することによる機構的利点がもたらされる。マウントの寸法は、無理のない精度でベースに合わせられるように選択することができる。それが合わせられた後は、マウントをベースから外すのに十分な分断力をロッドの端部に加えてマウントを取り外す。サブアセンブリを外すのに必要な分断力は、連結手段によって加えられる結合力に依存し、加えられる分断力は、てこの作用を与えるロッドの長さとともに大きくなる。
【００１０】
第１の実施形態において、ベースとマウントが磁気連結可能で、次いで部屋の床の上の人によって必要なときにそれらを外す。
【００１１】
第２の実施形態において、ベルクロ（登録商標）ファスナに提供されるような合せフックおよびアイレットによってベースとマウントを連結可能とする。
【００１２】
第３の実施形態において、固定懸垂手段によってベースとマウントを連結可能とする。
【００１３】
第４の実施形態において、ラッチ手段によってベースとマウントを連結可能とする。
【００１４】
第５の実施形態において、以上の４つの具体的な実施形態の１つに例示されているように所定位置に固定されたアセンブリに、天井内の配線との電気接続による少なくとも２つの電気的接触が与えられ、サブアセンブリが連結されたときに、マウントに固定された電気器具が天井内の配線と電気的に接続され、サブアセンブリが分断されたときに電気接続が切断される。
【００１５】
第６の実施形態において、煙探知器および警報器アセンブリのコンポーネント搭載床、または電灯器具は、それ自体、磁気連結手段によって天井に固定されたベース部材に直接連結され、検出器および警報器または電灯器具を作動させる電気コンポーネント、ならびに交換式電池が、取外し可能なカバーに覆われた検知機および警報器のコンポーネント搭載床に取りつけられ、ロッド取付け手段がカバーと一体的に設けられる。
【００１６】
本発明の他の態様は、支持体（例えば壁、天井、ポール）に固定的に搭載可能なベース、ベースに取付け可能なカバー、ならびにカバーとベースを保持する（固定または維持する）磁気デバイス、ベースにカバーを保持させる選択的動作可能な機械的リテーナを含む器具搭載構造体に関する。
【００１７】
他の態様は、ベース、ベース内で一体的に形成されるロッド取付け機構、ならびにある角度でベースからロッド取付け機構に伸びる連結機構を含む器具設置および取外しツールに関する。
【００１８】
他の態様は、保持機構を有する第１の相対的固定部品と、第１の部品に対して相対的移動が可能で第１の部品に対して取付け可能な第２の部品と、第２の部品に対して一時的に連結して、第２の部品を第１の部品に対して、また第１の部品に保持するように配置するためのツールと、ツールと第２の部品を保持し、第１の部品に対して第２の部品が配置されると取外し可能となるラッチとを含む器具取付けシステムに関する。
【００１９】
他の態様は、ツールを用いて１つの部材を操作することによりマウントに対して１つの部材を取りつけることができる取付けシステムおよび関連ツールのためのラッチであって、１つの部材とツールの連結関係を維持する選択的動作可能なリテーナと、１つの部材の取付けに反応して１つの部材のツールからの分離を促進するレリーズとを含むラッチに関する。
【００２０】
本発明の他の態様は、１つの部材をマウントに対して取りつける取付けシステムのためのラッチ機構であって、マウントに対して１つの部材を操作するためのツールと、ツールと１つの部材の間の連結関係を維持する選択的動作可能なリテーナと、マウントに対する１つの部材の取付けに応答して、リテーナを取り外してツールと１つの部材の分離を促すレリーズ機構とを含むラッチ機構に関する。
【００２１】
他の態様は、第１の部品は他の物体により支持されるように構成され、第２の部品は機器を支持するように構成された第１および第２の部品と、第１の部品と第２の部品を保持し、第１の磁気リテーナおよび機械駆動式リテーナを含む保持機構とを含む取付けシステムに関する。
【００２２】
他の態様は、複数の部材に対する保持システムであって、前記複数の部材の１つの部材を前記複数の部材の他の部材に対して保持するための磁気リテーナと、前記１つの部材と当該他の部材を保持するための選択的動作可能な機械的リテーナとを含む保持システムに関する。
【００２３】
他の態様は、他の部材から物体を取りつけるための取付けシステムであって、支持体に取付け可能な第１の部材と、第１の部材に対して選択的に着脱可能な第２の部材と、第１の部材と連動する第１の部分および第２の部材と連動する第２の部分を有する第１の磁気接続機構であって、該部分は共同で第１および第２の部材を保持する第１の磁気接続機構と、第１の部材と連動する第１の部分および第２の部材と連動する第２の部分を有する第１の選択的動作可能な接続機構とを含む取付けシステムに関する。
【００２４】
他の態様は、複数の部材の連結方法において、１つの部材が磁気リテーナの少なくとも一部と連動し、他の部材が当該磁気リテーナの少なくとも第２の部分と連動する方法であって、当該１つおよび他の部材を磁気リテーナの近傍に配置することでそれらを保持すること、および機械的リテーナを使用して当該１つおよび他の部材を保持することを含む方法に関する。
【００２５】
他の態様は、電気接続要件を有する電気機器のための取付けシステムであって、他の機器に取付け可能で、電源に接続可能な第１および第２の電気端子を有するベースと、ベースに取付け可能で、第３および第４の電気端子を有するカバーとを含み、第１および第３の電気端子は、一般にそれぞれ第２および第４の電気端子を囲む領域を定め、第１および第３の電気端子の少なくとも一方は、ベースとカバーが刺激されると、第１および第３の電気端子の他方による刺激に応答して弾力的に変形するように動作可能である取付けシステムに関する。
【００２６】
他の態様は、支持体に固定的に取付け可能なベースと、ベースの取付け可能なカバーと、ベースにカバーを保持する選択的動作可能な機械的リテーナとを含み、選択的に動作可能な機械的リテーナはタッチ・ラッチである取付け構造体に関する。
【００２７】
他の態様は、支持体に固定的に取付け可能なベースと、ベースの取付け可能なカバーと、ベースにカバーを保持する選択的動作可能な機械的リテーナとを含み、選択的に動作可能な機械的リテーナはスラム・ラッチである器具取付け構造体に関する。
【００２８】
同様の要素が同一の番号で表されている本発明のいくつかの実施形態の概略図が添付された以下の詳細な説明を参照することにより、本発明の前記目的および利点、ならびにさらなる目的および利点が十分に理解されるであろう。
【００２９】
（説明）
過去において、比較的重量の大きな物体は、その物体を取り外すのに（１ｌｂ（約４５０ｇ）を上回る）比較的大きな力を加えなければならないとの理由から、手動脱着式連結手段で取外し可能に吊されない場合があった。梯子、または物体に到達することを可能にする他の昇降手段に登ってそのような力を加えなければならなかった。必要とされる力が大きいほど、梯子から落下する危険性が高くなる。本発明の実施形態では、磁気手段、ベルクロ（登録商標）ファスナまたは他の連結手段により約１０ｋｇ（２２ｌｂ）の力が加えられたとしても、片手でロッドに容易に加えられる比較的小さな力で、懸垂サブアセンブリを角力により取り外すのに十分な程第１の（固定ベース）に対して懸垂サブアセンブリのセンターラインが角張る。本発明の懸垂サブアセンブリを用いて約１ｋｇ（２．２ｌｂ）を上回る重量の物体が容易かつ安全に吊されるが、それよりはるかに重い物体、すなわち約１０ｋｇ（２２ｌｂ）を上回る重量の物体は、ロッドの末端の懸垂サブアセンブリの固定および取外しを行う際にコントロールを失う危険性によってコントロールを失った人が怪我をするリスクが生じるため、単一の懸垂サブアセンブリによって吊すことには適していない。そのような重い物体を単一のアセンブリで吊す必要があるときは、そのアセンブリは、ベースとマウントの間に適切に配置された複数の連結手段を備え、それら連結手段、例えば磁石またはベルクロ（登録商標）ファスナの各々が、約０．４５ｋｇ（１ｌｂ）から約４．５ｋｇ（１０ｌｂ）の範囲の力を加えるようにしてもよい。約１ｋｇ（２．２ｌｂ）より重い物体を磁石によって吊す場合は、磁石および鉄板の費用がアセンブリの費用のほとんどを占める。したがって、磁石を最も効率的に利用する、すなわちその全強度を利用することが望ましい。ここに示された重量およびキャパシティは例示的なものにすぎず、本発明を採用しながら、記載された以外の重量およびキャパシティを対象にできることを当業者なら理解するであろう。
【００３０】
連結可能コンポーネント、例えば磁気手段の位置をその鉄性金属対応物に合わせるために、どの連結可能コンポーネントがベースまたはマウントまたは一対の磁石に固定されるかにかかわらず、それらを連結するために、懸垂サブアセンブリを固定サブアセンブリに対して上方に移動させる。連結可能コンポーネントは、少なくとも１つの磁石および鉄性金属であってもよく、それらの位置を、そのうちの１つが磁石を収容し、他が鉄製金属を収容する皿状合せ部材に合わせることができる。ロッド受入れ手段は、以下に示す理由により、マウントの貫通路ではなくソケットや指状突起の如きロッド取付け手段とすることができる。ロッドの端部は、マウントをベースに取りつけるときにマウントを支持し、そのバランスを保つ。ロッド取付け手段はソケットであってもよい。ソケットはマウントと一体的に形成することができ、ロッドの端部を、重力によりソケットの閉鎖端部に対して偏らせるか、またはねじ切りに嵌め込むことができる。マウントをベースに連結した後に、ロッドの端部をマウントから取り除く。ロッドの端部をロッド受入れ手段に挿入し、十分な力を加えてベースからマウントを取り外し、ロッドの末端でマウントを支持し、マウントをロッドの端部から取り外せるように下げることによって、マウントを移動させることができる。
【００３１】
固定された第１のサブアセンブリ、または「ベース部材」は、皿状ベース（円板状ベース、または他の適切な形状のベース）を与える標準的な環状構成とすることができ、第２の懸垂サブアセンブリまたは「マウント」は任意の構成とすることができ、各々の異なる構成のマウントはベース部材に互換的に連結可能で、例えば、懸垂サブアセンブリの構成は、全体的に長方形の形状および平面床を有する箱形マウントを含むことができ、フックを床の下面から吊すように固定し、２つ以上の間隔を空けたフックを設けて、複数のフックから吊す必要のある掲示を支持することができ、他のマウントはカップ状の構成、および煙警報器を取りつけるのに利用できる平坦な環状の下面を含むことができる。各々の場合において、ベース部材は、下方に伸びる周辺壁を含むことができ、マウントは、典型的には、全体的に平面ベース、あるいは外側に突出した周辺壁を備えた全体的に平面床を有する皿状またはカップ状部材を与えて、マウントをベース部材に連結するときに、皿状ベース部材の周辺壁を受け入れることを可能にしている。
【００３２】
一実施形態において、ベース部材とマウントを手で触れることなく着脱可能であるが、いずれかが固定されていれば、どのサブアセンブリが磁石を保持しているかは重要ではない。「手で触れることなく」とは、マウントを設置または取り外している最中に人の手でサブアセンブリを触れないことを意味する。一実施形態において、磁石と鉄性金属の位置合せを促進するために、磁石連結手段を合せ皿状ベースおよびマウント部材に保持する。使用される１つまたは複数の磁石の全面を鉄板で覆って、磁石の全強度を経済的に活用するように、サブアセンブリの周辺壁の寸法を定めることができる。
【００３３】
いくつかの住宅の天井は、部屋の床から２．４４メートル（８フィート）程度の高さしかない場合もあるが、多くの場合において、住宅の天井であっても９．１４メートル（１０フィート）以上の高さを有する場合もあり、商用店舗や倉庫における天井はそれよりもさらに高く、典型的には４．５７メートル（１５フィート）から９．１４メートル（３０フィート）の範囲にあることが理解されるであろう。天井が高いほど、天井にあるものを床から操作することが困難になる。したがって、図１および図２に示されるように、第１の（ベース部材）および第２の（マウント）サブアセンブリ２０および３０は、それぞれ天井１１に対して合わせるように配置される。ベース部材とマウントの形状は必ずしも互いに関連性を有するものではなく、必要な際に連結手段を着脱できれば任意の形状とすることができるが、組立てを容易にし、連結手段の位置合せを正確にするためには、全体的に環状のベースおよびマウントを使用することが好都合である。
【００３４】
ベース２０は、好適な締結手段、例えばワッシャ１３を介して挿入された間隔を設けて対向する一対のネジ１２によって天井１１に固定される第１の合成樹脂カップ状ディッシュ２１（「第１のディッシュ２１」と略記する）を含むことができる。マウント３０は、第１のディッシュ２１とはめ込み形式で合わせるように連結されている第２の合成樹脂カップ状ディッシュ３１（「第２のディッシュ３１）を含む。第１のディッシュ２１の中心に磁石２４（図３参照）が配置され、鉄性材料、例えば鋼の板３２が、磁石２４に対応して第２のディッシュ３１の中央に配置され、第１のディッシュと第２のディッシュを合わせたときに磁石と鋼板の表面が密に接触するようになる。
【００３５】
連結手段が磁性を有する場合は、第２のディッシュ３１および第１のディッシュ２１を形成する材料は磁性を有さず、例えば、ポリ塩化ビニル、スチレンまたはフェノール−ホルムアルデヒド樹脂であってもよいが、アルミニウムが好適であることは明らかである。図２に示すように、磁石２４が板３２によって完全に覆われるように、第２のディッシュ３１をロッド１５の端部に保持することによって第１のディッシュ２１に合わせる。長いロッドの端部上では、第２のディッシュ３１は、それぞれの周辺が円形以外の場合よりも、第１のディッシュ２１の環状の周辺をより容易に滑動する。例えば、長方形の第１のディッシュおよびそれに応じた長方形の第２のディッシュを用いれば、それら２つを合わせる前にそれぞれの隅を精度よく符合させることができる。楕円形は長方形より容易であるが、円形より困難である。
【００３６】
図３および４を参照すると、ベース２０の第１のディッシュ２１は一体型の円筒壁２３によって周囲が環状をなす平面ディスク２２を含むことがわかる。ディスク２２の下面中央には、例えば、下面２６に対して平坦な下面を表すように、磁石の下面における対応した形状の空洞に頭部が入るネジ２５によって磁石２４が固定される。磁石２４の強度は、吊す物体の重量に応じて、例えば１１３．４ｇｍ（０．２５ｌｂ）から約４．５３６ｋｇ（１０ｌｂ）の範囲で選択される。容易に理解されるように、吊す物体の重量が大きいほど、強い磁石が必要になり、磁石と磁気的に連結される懸垂マウントを取り外すのに必要とされる力が大きくなる。ある特定の最大荷重を支えるようにアセンブリを設計すること、および磁石の強度を最適に利用することが磁石の費用によって決定づけられることも明白である。そのような最適利用は、磁石の面積が完全に鉄性対象物によって覆われた場合に達成されうる（図１、２および１０参照）。
【００３７】
再び図１から３を参照すると、磁石２４が第１のディッシュ２１の平面ディスク２２上のどこに配置されるかにかかわらず、磁石２４が鉄板３２に完全に覆われるようにするためには、後者（板３２）の面積を磁石の面積よりはるかに大きくし、第２のサブアセンブリの床３７の全面積を実質的に占めるようにすればよい。もちろん、磁石の不適切な配置を補償するためにこのように不必要に鉄板の面積を大きくすることは費用がかかり無駄であるため、磁石２４の面積を板３２の適切な面積に対応させるようにする。
【００３８】
図５および６を参照すると、第２のサブアセンブリまたは「マウント」３０は、第２のディッシュ３１および管状ソケット４０を含み、ソケット４０は、閉鎖担４１および下方に伸びる側壁４２を有し、それによってソケットが第２のディッシュ３１の外縁に固定される。空洞４３が下に向かって実質的に垂直に伸び、閉鎖端の平坦ベースが、第２のディッシュ３１の周囲の平面に対して実質的に同一平面に配置されるように、ソケット４０を固定する。空洞４３の断面は重要ではなく、ロッド１５の端部を滑動可能に収容する役割を担っているにすぎない。ほうきの柄のような円筒状のロッドが典型的に好都合に利用されるため、空洞は断面が円筒形になっている。ソケット４０の閉鎖端はロッド端部のマウントを支持する役割を担うが、ソケットの端部が開放されている場合、すなわち中空の管状断面である場合は、マウントを取り外すために、ロッドを直角に対して角張らせることができる。ロッドとソケットまたは管の壁の間の公差が比較的小さいために、第２のサブアセンブリを制御可能に下げることが可能になる。
【００３９】
適切な締結手段、例えば、頭部がディスク３８の平坦面に埋まり、床３７にねじ込まれる間隔を空けて配置された一対の対向するネジ３３によって、鉄性金属ディスク３８を第２のディッシュ３１の床３７に固定する。ディスク３８に穴を空け、ねじ切りを設けて、床３７の中心孔３５を通じて挿入され、フック（不図示）から吊される掲示を支える、同様にねじ切りを設けたアイボルト３４を受け入れる。フックをアイボルトの瞳に挿入すると、フードに取りつけられた掲示の如き物体が天井から吊される。第２のディッシュ３１を取り外して部屋の床に下げ、アイボルトに適切なフックを適用し、ロッド１５をソケット４０に挿入し、第１のディッシュ２１上の第２のディッシュ３１を取り換えることによって掲示の交換が達成される。
【００４０】
第２のディッシュ３１の機能は、マウントを提供するとともに、磁石２４を鉄性金属ディスク３８の中心にそろえ、磁石によって加えられる全磁力を利用するために、第１のディッシュ２１を第２のディッシュ３１に導くことを可能にすることである。第２のディッシュ３１への第１のディッシュ２１の挿入を促進するために、第２のディッシュ３１の壁３６の内径を第１のディッシュ２１の外径より大きくすることで、後者の壁２３を前者（第２のディッシュ３１）に容易に挿入することができるようになる。鉄性金属ディスク３８と磁石２４の位置合せをより高精度に行うために、第１のディッシュ２１の壁の周辺が床３７を圧接したときに、磁石２４がディスク３８の中央に配置されるまで、壁３６と床３７を接続する下方向に先細りになった環状移動ゾーンによって、第１のディッシュ２１の壁の周辺を内部に動かす。「下方向に先細りになる」とは、第２のディッシュ３１の周辺における断面が、壁が床３７に達するところの壁の断面より大きくなることを意味する。一例では、以下に説明するように、第２のディッシュ３１が第１のディッシュ２１に対して角度をなす事を可能にするために、第２のディッシュ３１の内径を第１のディッシュ２１の周囲の外径より約５％から約１０％の範囲で大きくすることができる。
【００４１】
ソケット４０は平滑な内壁面を有し、その直径は、ソケットに挿入されるロッド１５、いわゆるほうきの柄の直径より約０．０５％から５％程大きくなっている。ソケットは平滑な壁面を有するため、ロッドを直接下方に引っ張るだけでソケットから取り外される。したがって、（ソケットから）遠方末端に横方向の力が加えられる。この力は、ソケット４０のベース上で第２のディッシュ３１を回転させることで、磁石２４の横面に対して鉄板３２を角張らせる役割を担う。約１°から約１５°の範囲の当該角度形成は、磁石の一端（ソケットからの縁端部）との接触を壊すのに十分で、磁石の残りの表面を徐々に外すため、一時に、すなわち実質的に瞬間的に、磁石の全表面との接触を壊すのに必要な力、すなわちマウント３０を直接下方に引っ張る場合に必要とされる大きな力に比べて、その５０％から１０％またはそれ以下程度の力で済むことになる。
【００４２】
ここで明らかなように、ロッドをソケットにねじ込むには、たいていの場合は正当化されない追加的な労力を要することは明らかであるため、そうしなければならない差し迫った理由がある場合は、要望に応じてソケット空洞４３の内壁をねじ切りし、同様にねじ切りを設けた端部を有するロッドの端部をねじ込むことにより（図１６参照）、要望に応じて直接下方に向けられる大きな力を加える。
【００４３】
第１および第２のディッシュ２１および３１をそれぞれ射出成型することができ、ソケット４０が平滑な空洞を有していてもねじ切りされていても、ソケット４０を第２のディッシュ３１と一体的に成型することができる。さらに、マウントの構成が許すのであれば、第２のディッシュの周辺にソケットを直接形成することができ、あるいは例えば第２のディッシュがより大きな構造体を支持する場合（図８参照）などは、第２のディッシュの周辺の貫通路はロッドに対して十分なパーチェスをもたせることができる。
【００４４】
アセンブリ１０の高さ、すなわちアセンブリが天井から下方に突出する距離を最小限に保つことで、できるだけアセンブリが邪魔にならないようにすることができることが理解されるであろう。したがって、実際の用途では、アセンブリの全体寸法を厳密に規定する必要はないが、第１のディッシュ２１の高さを約１ｃｍから約４ｃｍの範囲とし、対応する第２のディッシュ３１の高さをほぼ床３７の厚さだけ大きくする。たいていの用途では、各々ケースにおいてアセンブリに適切な剛性および強度を与えるのに十分な厚さで、使用される合成樹脂の物理的特性に関連する第１のディッシュ２１の断面厚さと同様に、壁３６および床３７の断面を約１ｍｍから約３ｍｍの範囲とする。
【００４５】
図７を参照すると、ベース２０と、マウント３０と、マウント３０に固定された従来の煙警報器５０とを備えたアセンブリ６０が概略的に示されている。当該煙警報器は、典型的には、受入れベースに固定するための差込マウントを備えた基板５１を有し、受入れベースは天井に固定される。アセンブリ１０を使用して当該煙警報器５０を天井から吊すために、差込マウントを配置し、マウントの皿状部３１の下面３７に煙警報器を直接固定する。前述のように、マウント３０は、ソケットとして示されるロッド取付け手段を含み、一般的に横方向でロッドの端部にかかる微力は、磁石２４から鋼ディスク３２を外す働きをする。次いで、ほうきのハンドルをソケット４０に挿入し直し、第２のディッシュ３１を第１のディッシュ２１に合わせることによって、煙警報器５０を好都合に部屋のテーブルに配置し、ベース２１上に置き換えることができる。
【００４６】
図８を参照すると、懸垂サブアセンブリ７０が、カップ状部材４７と、カップ状部剤４７の下面に取りつけられた懸垂部材７１とを含む「マウント」であるアセンブリ８０が示されている。懸垂部材７１は、カップ状部材７１によって与えられる下面より大きな下面を与え、そのより大きな表面によって、物体（不図示）を吊す、間隔を空けて配置される複数のアイボルト３４を設けることが可能になっている。懸垂部材の形状は任意で、天井に配された導管７５の如き近隣障害物を隠すように設けられたものが例示される。ここに示されるように、懸垂部材７１は、一般に、上方段状床７３、および導管７５を隠すように天井に接触する垂直壁７４を有する長方形のディッシュ７２である。段状床の中央部７６は平面で、間隔を空けて配置されたネジ７７のような締結手段で第２のディッシュ３１の下面に固定される。周辺近傍の懸垂部材７１の貫通路７８は、そこに挿入するロッド１５を保持できる程度の大きさを有する。前述のように、ロッドの縁端部に対する横方向の力が、磁石２４に対して鋼ディスク３２を角張らせて、マウント７０を取り外す。
【００４７】
図９を参照すると、懸垂手段によりマウント６１に連結されたベース５１を含み、その一方の部材がマウントと一体化し、他方の部材がベースと一体化したアセンブリ６０が示されている。マウント６１は、床６５の周囲に外方向および上方向に突出した周辺壁６４を有する皿状部材６３を含む。ベース５１は、ネジ１２で天井１１に取りつけられた平面床５２と、下方に伸び、床５２から外方向に突出し、懸垂手段の他の部材であるリム５４を終端とする周辺壁５３とを有する。端部５４は、外方向に突出した壁６４のベースで環状溝６２に嵌め込まれ、溝６２は、マウント６１をベース５１に固定するデテントとしての役割を果たす。溝６２は、壁６４および床６５によって形成される角度の頂点に位置する。ネジ（不図示）のような適切な締結手段で煙警報器５０を床６５の下面に取りつける。
【００４８】
皿状部材６３の周辺には、上述したように、ロッド１５の端部を滑動可能に収容するように構成された穴６７を有するソケット６６が設けられている。煙警報器５０をマウント６１に固定した状態でマウント６１をベース５１に連結するために、それをロッド１５の端部で支持し、ベース５１の壁５３を、端部５４が溝６２に嵌るまでマウント６１の壁６４に導く。次いでロッド１５を取り外す。
【００４９】
図１０を参照すると、前述のようにネジ１２で天井１１に固定されたベース９
１に連結されたマウント９５から複数の比較的重い物体を吊すためのアセンブリ９０が示されている。前述のように、マウント９５は、ベース９１に対してマウント９５を着脱するためにロッド１５を挿入する穴９７を有するソケット９６を含む。ベースには、床９２および下方に伸びる周辺壁９３が設けられる。適切な締結手段、例えば埋込みネジ（不図示）によって複数の磁石９４が床９２の下面に固定され、磁石の平坦な下面が、壁９３の周辺が配置されたほぼ水平面に伸びている。
【００５０】
マウント９５は、磁石９４の表面と反対側に配置された平面床９８を有する平面部材である。複数の鋼板９９を使用してもよいが、単一の大きい鋼板９９が床９８に固定され、マウント９５をベース９１に連結するときに、磁石９４の反対側に、かつそれと位置を合わせて配置される。磁石によって加える力を大きくするためには、１つまたは複数の輪形磁石が中央磁石を囲む中央伸長磁石を使用することができ、それに対応して、マウントとベースを連結するときに、伸長鋼板および１つまたは複数の鋼の環状リングを磁石と位置が合うように配置する。
【００５１】
図１１を参照すると、天井１１に固定された皿状ベース１０２として示される固定サブアセンブリに連結された皿状マウント１０１として示される懸垂サブアセンブリを備えたアセンブリ１００が示されている。ベースは、平面床１０４、および床１０４から周状に伸びる下方向に伸びる壁１０６を有する。床１０４の下面には、凹状中央部１２２および環状ステップ１２４を有する下方向に突出したセントラル・ボス１２０が設けられている。天井の電線ＡおよびＧが、床１０４の上面の端子１２８および１２６にそれぞれ接続されている。端子１２８は中央に配置され、凹状中央部１２２を介し、導電性スプリング１３２により電気接続される。端子１２８から間隔を空けて横方向に配置された端子１２６は、ボス１２０の環状ステップ１２４で端子１２６’と電気接続される。
【００５２】
マウント１０１は、環状壁１２５によって定められる凹状中央部１２３を有する上方に突出するセントラル・ボス１０７が設けられた床１０５の周辺から、環状導電性ストリップ１２９が固定される上部周辺面１２７まで伸びる直立壁１０３を有する。マウント１０１の床１０５の上面における凹状中央部１２３内の中心に、端子１３３’と電気接続する端子１３３が配置される。端子１３３’は、床１０５の下面における凹状中央部１３１内の中心には位置される。
【００５３】
マウント１０１をベース１０２に連結すると、端子１２６’は、床１０５の下面における凹状中央部１３１において端子１２９’と電気接続する環状導電性ストリップ１２９に接触し、スプリング端子１３２は、凹状中央部１３１において端子１３３’と電気接続する端子１３３に接触する。連結したスプリング端子１３２は端子１３３に接触すると、端子１２６’は環状導電性ストリップ１２９に接触する。床１０５の下面に取りつけられた煙警報器５０の適切な端子との接続に向けて、電線Ｇ’およびＡ’がそれぞれ端子１２９’および１３３’から伸びている。
【００５４】
マウント１０１は、穴１３５を有するソケット１３４を含み、ソケットは周囲が床１０５で成形されている。床１０５は、セントラル・ボス１０７を囲む直立環状壁１３６を有し、環状鋼リング１３７が環状壁１３６の周囲面に固定される。
【００５５】
ベース１０２の床１０４の内面には、マウントをベースに連結するときに環状鋼リング１３７との位置合せができるように配置された輪形磁石１３８が固定される。マウントのベースへの連結を促進するために、壁１０６の周囲上面が床１０５の上面に近接し、環状鋼リング１３７が輪形磁石１３８に接触し、煙警報器の端子が天井の電線ＡおよびＧと電気的に接触するまで、壁１０６の周囲上面を誘導するように周辺壁１０３の内面が１３８において先細りになっている。よく知られているように、警報器を天井に「固定接続」することができるが、実質的に火災と同時に起こる電源故障が発生した場合に機器を動作させる電池が煙警報器に設けられる。当該煙警報器における電池は、充電量が安全レベルを下回ったときに交換する必要があり、アセンブリ１００により電池の取外しおよび交換が容易になっている。また、煙警報器および他の機器は、清掃、試験、修理などの様々な目的で取り外す必要がある。
【００５６】
図１２を参照すると、３つの端子Ａ、ＢおよびＧを有する煙警報器の接続を想定している以外は、図１１のアセンブリ１００と類似したアセンブリ２００が示されている。アセンブリ２００は、天井１１に固定された皿状ベース２０２として示される固定サブアセンブリと連結される皿状マウント２０１として示される懸垂サブアセンブリを備える。ベースは、平面床２０４、および床２０４から周状に伸びる下方向に伸びる壁２０６を有する。床２０４の下面には、凹状中央部２２２および環状ステップ２２４を有する下方に突出したセントラル・ボス２２０が設けられる。天井の電線Ａ、ＢおよびＧは、床２０４の上面で、それぞれ端子１２８、１２１および１２６に接続される。端子１２８は、凹状中央部２２２の中心に配置され、導電性スプリング１３２と電気接続される。端子１２１および１２６は、端子１２８と、さらに互いに間隔を空けて横方向に配置され、ボス２２０の環状ステップ２２４において、それぞれ端子１２１’および１２６’と電気接続される。
【００５７】
マウント２０１は、環状壁２２５によって定められる凹状中央部２２３を有する上方に突出するセントラル・ボス２０７が設けられた床２０５の周辺から、それぞれ端子１２１’および１２６’に対向する環状導電性ストリップ２２１および１２９が固定される上部周辺面２２７まで伸びる直立壁２０３を有する。マウント２０１の床２０５の上面のボス２０７における凹状中央部２２３内の中心には、端子１３３’と電気接続する端子１３３が配置される。端子１３３’は、床２０５の下面における凹状中央部２３１内の中心に配置される。
【００５８】
マウント２０１をベース２０２に連結すると、端子１２６’は、床２０５の下面における凹状中央部２３２において端子１２９’と電気接続する環状導電性ストリップ１２９に接触し、スプリング端子１３２は、凹状中央部２３１において端子１３３’と電気接続する端子１３３に接触する。床２０５の下面に取りつけられた煙警報器５０の適切な端子との接続に向けて、電線Ｇ’、Ａ’およびＢ’がそれぞれ端子１２９’、１３３’および２２１’から伸びている。
【００５９】
マウント２０１は、穴２３５を有するソケット２３４を含み、ソケットは周囲が床２０５で成形されている。床２０５は、セントラル・ボス２０７を囲む直立環状壁２３６を有し、環状鋼リング１３７が環状壁２３６の周囲面に固定される。
【００６０】
ベース２０２の床２０４の内面には、マウントをベースに連結するときに環状鋼リング１３７との位置合せができるように配置された輪形磁石１３８が固定される。マウントのベースへの連結を促進するために、壁２０６の周囲上面が床２０５の上面に近接したときに、環状鋼リング１３７が輪形磁石１３８に接触し、煙警報器の端子が天井の電線Ａ、ＢおよびＧと電気的に接触するように周辺壁２０３の内面が２３８において先細りになっている。
【００６１】
図１３を参照すると、固定サブアセンブリ３０２と懸垂サブアセンブリ３０１とを備え、それ自体が懸垂対象となる物体である、一般に参照番号３００で示されるアセンブリが概略的に示されている。固定アセンブリ３０２は、ベース３０４と、それとともに、図１において例示および説明したのと類似した方法、締結手段（不図示）により天井１１に固定される磁石３２４とを含む。図１３には、電気コンポーネントを取りつけるためのコンポーネント取付け床３０５に取付け可能に固定されたカバー３０７を有する煙警報器３０３が示されている。コンポーネント取付け床３０５は、図１０の平面部材９５の平面床９８に類似し、その代わりに使用できる。コンポーネント取付け床が、典型的には差込マウントとともにベースに取外し可能に取りつけられる煙警報器に共通しているように、煙警報器は他のベースを有さない。コンポーネントのなかには、定期的に交換する電池３０８がある。床３０５は、鋼板３０９を固定的に保持するために中央に窪みがある。
【００６２】
一実施形態において、カバー３０７にはソケット３４０が設けられ、ソケットはカバーの中央付近に存在し、それと一体的に成形されており、煙警報器３０３をベース３０４から取り外したり、そこに置き換えたりするときに、穴３４２に滑動可能におさまりよく挿入されるロッド１５の端部に対して保護パーチェスを提供するのに十分な距離だけ、カバーの下面３１１から内部方向に間隔を設けて配置された底部３４１を有する。要望に応じて、穴３４２の内部にネジ山３５３を設けて、相補的にねじ切りされたロッド（不図示）の端部を受けることができる。要望に応じて、穴３４２の直径によって定められる貫通口をカバーに設け、その貫通口にロッド１５を挿入し、鋼板３０９によって止めることができる。しかし、煙警報器３０３を取り除くために、ロッド１５に力を加えてそれを角張らせ、磁石３２４との接触から鋼板３０９を外し、貫通口の周辺に圧力を加える。カバー３０７は典型的には比較的脆いプラスチックで形成されるため、貫通口よりソケット３４０のほうが好ましい。
【００６３】
典型的なカバー３０７の比較的脆い性質を鑑み、カバー内にソケット３４０を設けることに対する代替法として、点線で示されたソケット３５０をコンポーネント取付け床３０５の周辺に設け、ソケット３５０を床３０５と一体的に成型する方法がある。ソケット３５０は、取付け床３０５から横方向に伸びる底部３５１を有し、ソケットの穴３５２は、ロッド１５の端部を受けるように構成される。要望に応じて、穴３５２の内部にネジ山３５３を設けて、相補的にねじ切りされたロッド（不図示）の端部を受けることができる。
【００６４】
ソケットをカバー３０７内に設けても取付け床３０５に固定しても、それは、ロッド１５の端部によって加えられた力を伝達して、ベース３０４から煙警報器３０３を外す役割を担う。煙警報器を下げた後に、カバー３０７をコンポーネント取付け床３０５から手で取り外し、電池３０８を取り外して交換する。
【００６５】
ベース３０４は板であってもよいが、その周囲下面３１４が下方に伸びて取付け床３０５の内面３１２付近に到達する、またはそれに接触する周辺壁３１０を含むことができる。「内面」とは、コンポーネントが取りつけられる側と異なる側にある床３０５の表面を意味する。周囲面３１４は、鉄性金属板３０９を安定化させ、磁石３２４に対してそれを正確に位置合せする役割を担う。さらに、周囲面３１４は、ロッド１５を角張らせると、鋼板３０９が、磁石３２４との接触を壊すのを促進するための支点を与える。
【００６６】
図１４を参照すると、天井１１に固定された固定サブアセンブリ３０２と、煙警報器４０３を含む懸垂サブアセンブリ４０１とを備え、煙警報器４０３は、ソケット３４０の代わりに、指状突起３４５が突出したカバー４０７を有する点を除いて図１３のアセンブリ３００と類似したアセンブリ４００が概略的に示されている。指状突起３４５の位置は、ソケット３４０の位置と同様に厳密に規定されるものでないが、部屋の床に立つ人は、てこの作用を最大限に利用できる方向を視覚的に認識できないため、指状突起３４５をカバー４０７の中心付近に配置する。要望に応じて、指状突起３４５にネジ山３４６を設けて、ロッドの端部（不図示）における相補的にねじ切りされた穴で受けるようにしてもよい。
【００６７】
上記と同じ理由で、すなわちカバー４０７は比較的脆い性質を有するため、一体的に成形されたコンポーネント取付け床３０５の周辺において、突起３４５を点線で示された突起３５５に代えることができ、前述のように、要望に応じて、突起にネジ山を設けて、ロッドの端部（不図示）における相補的にネジ切りされた穴で受けるようにしてもよい。
【００６８】
図９に示される懸垂手段、および他の図に示される磁石と鋼板の組合せを、図１５に示されるアセンブリ５００のラッチ手段５１０に代えることができる。アセンブリ５００は、固定サブアセンブリまたはベース部材５０１と、固定サブアセンブリまたはマウント５０２とを備え、後者は、天井１１に固定された平面床５０３、および周辺壁５０４を有するベース部材５０１に掛け留められている。床５０３と一体的に成形することができる横方向に間隔を空けて配置された受金具５０５が床５０３から吊されている。一例において、各受金具は、Ｖ形部５０６に終端を有することができる。Ｖ形部５０６は、全体的に、傾斜面５０７、および実質的に側方面５０８を有する三角形の断面を有することができる。ラッチ、受金具などのほかの形状およびスタイルを使用することができる。
【００６９】
マウント５０２は、一般に、受金具５０５に着脱するように、受金具５０５に対して平行移動可能なラッチ・アーム５１２を受けるように構成された平面部材５１１である。図１５の模範的な実施形態において、ラッチ・アーム５１２は、ベースがラッチ・アーム５１２に固定された直立ラッチ５１３を含み、各々のラッチ５１３は、結合されたときに側方面５０８に支持される実質的に側方面５１６を下方向に伸びるスタブ５１５に与えるように傾斜した、全体的に三角形の断面を有するＶ形部５１４に終端を有することができる。
【００７０】
ラッチ・アーム５１２の一端５１８は、ベース５１１の周辺を介して、平面部材５１１と一体的に成形することができるソケット５２０の穴５２２の内部に突出し、ソケットの底部５２３が平面部材５１１の周辺から伸びている。スプリング５２６によってソケット５２０の壁５２４から偏向されたスプリング偏向レバー・アーム５２５の一端にラッチ・アーム５１２の端部５１８が取りつけられる。レバー・アーム５２５は、穴５２２に滑動可能に挿入されたロッド１５の端部（不図示）がスプリング５２６を圧縮し、ロッドの縦方向のセンターラインからラッチ・アーム５１２を遠ざけるように配置される。ラッチ５１３の「落差」は、受金具５０８からスタブ５１５を外すことで、ベース部材５０１からマウント５０２を解放するのに十分なものとする。
【００７１】
ベース部材５０１において、ロッドの端部に支持されたマウント５０２の取換えを容易にするために、ソケット５２０から離れてソケット５２０と反対側に配置された外方向傾斜壁５１７を平面部材５１１に設ける。さらに、各受金具の合せ傾斜面５０７およびスタブ５１５の合せ傾斜面に副ってマウント５０２が上方に移動させられるのに従って、壁５０４の下方周囲面を平面部材５１１の内面５２８と接触させるために、ソケット５２０の底部５２３付近の壁５２４の外面に外方向傾斜面５２７を設ける。次いで、ロッドを引き抜くと、レバー・アーム５２５に対する圧力が解除され、スプリング５２６が、スタブ５１５を受金具の端子部５０６に結合させる。
【００７２】
要望に応じて、ベース部材５０１上のマウント５０２を取り換えるために、ソケット５２０の下端を、スプリング５２６が圧縮されないようにロッドの端部でソケットに挿入することができる。次いで、ベース部材５０１に対してマウント５０２を移動させると、スタブの端部によって部分５０６が隠れるまで、スタブ５１５の傾斜面は、受金具のＶ形端子部５０６の対応する傾斜面５０７に沿って移動するに従ってスプリング５２６が圧縮される。次いで、スプリング５２６は解放され、受金具の側方面５０８の所定の位置にスタブを固定する。
【００７３】
図１６を参照すると、固定サブアセンブリ、または天井１１に固定されたベース部材６０１と、一対の照明器具６０３および６０４を吊す懸垂サブアセンブリまたはマウント６０２とを備え、電灯は器具内の電球に電流を必要とし、外２つのサブアセンブリは、その間の干渉固定によって連結され、要望に応じて分断されるように構成されたアセンブリ６００が概略的に示されている。
【００７４】
例示されるように、ベース部材６０１は、外面６０７が内側に傾斜した、周辺壁６０６を有する円板状部材６０５を含む。円板状部材６０５の下面には、凹状中央部６０９および環状ステップ６１０を有する下方突出セントラル・ボス６０８が設けられている。天井の電線Ａ（ホット）、Ｂ（ニュートラル）およびＧ（アース）が、円板状部材６０１の上面でそれぞれ端子６１１、６１２および６１３に接続される。３つの電線が示されているが、第１および第２の導電線のみが必要である。端子６１１（第１の端子）は、中心に配置され、凹状中央部６１４において導電性スプリング６１５と電気接続されている。端子６１２（第２の端子）は、端子６１１と横方向に間隔を空けて配置され、ボス６０８の環状ステップ６１０上で端子６１２’と電気接続されている。端子６１３は、両端子６１１および６１２と横方向に間隔を空けて配置され、壁６０６の周囲下面６１６上で端子６１３’と電気接続されている。
【００７５】
マウント６０２は、概して平面の床６２８および直立周辺壁６２１を有する取付け部材６２５を含み、壁６２１は、外側に向かい、器具６０３および６０４が取りつけられた取付け部材６２５の垂直センターラインから傾斜し、壁６２１の内面６２２は、周囲面６１６がカバー６２５の内面６２８の周辺付近に固定された導電性リング６２７に対して偏向するまで、壁６０６の外面６０７に堅く固定されるように相補的に傾斜する。次に、導電性リング６２７は、電線により照明器具６０３および６０４のベースに電気接続されている。
【００７６】
平面床６２８の上（または内）面は、上方に突出し、サブアセンブリが連結されるときに中央端子６１５（第１の端子）に接触するように構成された端子６３２（第３の端子）が中央に配置された中央凹部６３１を有するセントラル・ボス６３０を有する。ボス６３０の環状ショルダの上方周囲面は、サブアセンブリが連結されるときに端子６１２’に接触する（また、第２の端子６１２と電気接続される）ように内部に導電性リング６３３（第４の端子）が固定されている。したがって、端子６３２および６３３は、次に照明器具に対する適切な電線に接続される適切なホットおよびニュートラル電線６３２’および６３３’とそれぞれ電気接続される。
【００７７】
マウント６０２の中心には穴６４１を有するソケット６４０が配置され、要望に応じて、セントラル・ボス６３０と軸を合わせて配置することができる。ソケット６４０の壁６４２は、ロッド６４５のねじ切りされた端部６４６をねじ受けするように内部にネジ山６４３が設けられている。
【００７８】
天井に取りつけられるアセンブリの第１および第２のサブアセンブリを取外し可能に連結する方法は、サブアセンブリの一方、すなわち第１のサブアセンブリまたは固定サブアセンブリを天井に固定し、固定サブアセンブリは連結手段の第１の部分を含み、サブアセンブリの他方、すなわち第２のサブアセンブリまたは懸垂サブアセンブリを伸長ロッドの端部で支持し、懸垂サブアセンブリは連結手段の第２の部分およびロッド受け手段を含み、懸垂サブアセンブリの位置を固定アセンブリに合わせて連結手段を嵌め込み、かつロッドを取り外すことを含むことがここで明らかになる。
【００７９】
固定サブアセンブリから懸垂サブアセンブリを外すために、該方法は、懸垂サブアセンブリに固定されたロッド取付け手段にロッドの一端を取りつけ、固定サブアセンブリから懸垂サブアセンブリを外すのに十分な力をロッドに加え、外した懸垂サブアセンブリをロッドの端部で支持し、かつ懸垂サブアセンブリを下げることを含む。
【００８０】
ベース部材およびマウントを備えたアセンブリのサブアセンブリを取外し可能に磁気連結する方法は、最初に、固定サブアセンブリを設けるために部屋の天井にベース部材を固定し、マウントをロッドの端部で支持しながらベース部材とマウントの間に磁石および鉄板を挿入し、マウントは磁石または鉄板、およびロッド取付け手段を含み、鉄板の位置を磁石に合わせてそれらを結合し、かつロッドを取り外すことを含む。
【００８１】
該方法は、皿状ベースを天井に固定し、ベースは、そのなかに固定的に取りつけられた磁石連結手段の第１の部分を含み、皿状マウントをロッドの端部で支持し、第２のサブアセンブリは連結手段の第２の部分およびロッド取付け手段を含み、マウントをベースに取外し可能に磁気連結し、かつロッドを取り外すことを含むこともできる。
【００８２】
マウントはカップ上で、天井から物体を吊す固定床を有することができ、ベースは皿状で、天井に固定される平面床、およびマウントに嵌め込み式に受けられるように下方に垂直に伸びる壁を有する。ベースの磁石は、その床に固定され、最大の効果が発揮されるように天井から離れて配置される。皿状マウントは、一般に、直立壁、および床に固定された鉄板を有し、ロッド取付け手段はマウントの周囲に配置される。
【００８３】
一実施形態において、磁石が取りつけられた皿状ベースが天井に固定され、マウントは、ベースおよび取外し可能なカバーを有する煙検知器および警報器アセンブリで、ベースの片側には煙感知および警報発生手段が取りつけられ、ベースのもう一方の側には鉄板が取りつけられ、煙警報器のベースの周辺またはカバーの上でロッド取付け手段がマウントに固定され、マウントがベースと合わせるように連結される。したがって、部屋の床に立つ人が、ロッド取付け手段にロッドを挿入し、ロッド取付け手段から離れた位置にあるロッドに十分な横圧を手で加えることにより、垂直方向に対してロッドを角度的にずらせることで、マウントをベースから外すことが可能である。
【００８４】
このように一般的な論考を提示し、サブアセンブリの包括的な組合せを詳細に説明し、本発明を実施する最良の形態である具体的な例を用いて本発明を例証したが、本発明は多くの用途に取り入れることができ、その一部が示されているにすぎないことが明らかになるであろう。ロッドを用いて磁気連結器を外して物体を天井に着脱する機能は、長期間にわたる課題に対する有効な解決策を提供する。したがって、例示および説明した具体的な実施形態により不必要な制限を加えられるものではないこと、また特に、本発明はここに記載されている詳細に全面的に限定されるものではないことが理解される。
【００８５】
（追加的な実施形態）
本発明による遠隔着脱連結システムのいくつかの追加的な実施形態を図１７から３６に示す。これらの実施形態において、マウントとベース部材を保持する保持機構が、システムを組み立てたときの正規の視野から隠れることになる。したがって、完成したシステムは、前述の実施形態の基本的機能を維持しながら、美観的に好ましい構造を有する。
【００８６】
図１７から２１を手短に参照すると、遠隔着脱連結システム７００は、言及した「隠れた」機能と二重保持機構の両方を含む。システム７００は、ベース部材７０１と、マウント７０２と、設置および取外しツール７０３とを含む。ベース部材７０１は、固定構造体または何らかの機器に固定されることを目的とし、マウント７０２はベース部材７０１に接合する。マウント７０２の取外しおよび設置は、設置および取外しツール７０３の使用を通じて達成される。設置および取外しツール７０３を使用してシステム７００を遠方から設置することができ、ユーザは、安全な状態で地面にとどまりながら、遠方に配置され、または手の届きにくいベース部材７０１に対してマウント７０２を設置または取り外すことが可能になる。機器７０４をマウント７０２に連結することができ、典型的な機器としては、煙探知器または他の探知器、電灯器具（またはその部品）、掲示、信号装置、カメラの如き目視機器、ディスプレイなどを挙げることができる。様々な技術、例えばネジ、クリップ、接着剤などを使用して機器７０４をマウント７０２に連結することができる。機器７０４は、マウント７０２の一部であってもよく、かつ／またはマウント７０２と一体的に形成されていてもよい。次にシステム７００の本実施形態のコンポーネントについてより詳細に説明する。
【００８７】
ベース部材７０１とマウント７０２を保持し、または連結するための二重保持機構７１０は、磁気連結システムまたは機器７１１、および選択的動作可能な機械的リテーナ７１２を含む。要望に応じて、保持機構７１０は、ベース部材とマウントを保持するための３つ以上の連結またはリテーナ・システムを含むことができる。また、保持機構７１０の機能を単独で使用することもできるし、本明細書に例示および説明されている他の部品、および／またはさらに他のシステム、機器などとともに使用することもできることが理解されるであろう。
【００８８】
磁気連結システム７１１は、少なくとも１つ（または複数）の磁石７１３、および磁気保持力によって磁石を保持することができる他の部品７１４を含む。当該他の部品７１４は、上述したように、鉄板であってもよく、他の金属または磁石を保持する傾向のある他の物質であってもよく、あるいは他の磁石であってもよい。図１７から２１に示される実施形態では、３つの磁石７１３ａ、ｂ、ｃがマウント７０２のまわりに分布していることがわかる。各磁石は、鉄板７１４などに磁気的に連結することができる。図２２から２７に示される実施形態では、４つの磁石７１３ａから７１３ｄが示されている。
【００８９】
選択的動作可能な機械的リテーナ７１２は、ベース部材７０１とマウント７０２を連結する際に、それらの間に安定した機械的連結を確保する。当該機械的連結により、磁気連結システム７１１が不測に、または何らかの理由で外れた場合にもベース部材７０１とマウント７０２が通常通り保持されることになる。選択的動作可能な機械的リテーナ７１２は、可動グラバ部材７１５および保持部材７１６を含む。グラバ部材７１５は、設置および取外しツール７０３によって操作することができる。
【００９０】
設置および取外しツール７０３を使用して、ベース部材７０１に対してマウント７０２を連結し、かつ／または取り外す。ツールは、脱結合アームがマウント７０２に挿入されると、グラバ部材７１５を保持部材７１６との保持または固定関係から撤退させる脱結合アーム７１７を含む。ツール７０３は、ポール７２０のような伸長部材を受けるソケット７１８ｂを備えたベース７１８ａを有する。ソケットとポールを７１９ａにおいてねじ止めして、ねじ込み接続連結でベースとポールを固定することができ、止めネジ７１９ｂを使用してベースにポールを固定し、例えばねじ込み接続が外れるのを防ぐことができる。ポールは、システム７００のベース部材７０１に対してマウント７０２を連結し、かつ／または取り外すために、ツールの到達範囲を広げて通常は届かない場所への到達を可能にする。
【００９１】
図１７から２１には、特にいくつかの形のベース部材７０１が示されている。ベース部材７０１は、本発明のシステム７００の内側半分を形成し、壁、天井またはポールのような構造体７２１（図１８）に固定される。本発明の多くの用途では、構造体７２１は相対的に固定されたもの、例えば壁であってもよいし、可動のもの、例えばポールであってもよい。ベース部材７０１は、いくつかのサブコンポーネントを含み、そのうちの１つが基板７１４である。基板７１４は、固定された物体にベース部材７０１を取りつけるための主要な手段で、ベース部材７０１に強度および剛性を与える。ネジ７２２のような締結具を使用して基板を構造体７２１に固定する。取付け構造によっては、他のコンポーネントが必要となることもある。例えば、ベース部材７０１をポールに固定しようとする場合は、Ｕ形ブラケットを採用することができる。基板７１４は、鋼の如き硬い材料から形成されるが、マウント７０２およびマウントに取りつけられる任意の機器７０４を支えるための強度および剛性を与える任意の好適な材料から形成されうる。一実施形態において、基板７１４は、鉄性物質、または磁石７１３を磁力で保持することのできる他の物質とする。基板７１４が非磁性物質である場合は、磁性物質を基板７１４に取りつけて、磁気連結システム７１１の磁石７１３に対する連結機構を確保することができる。ベース部材とマウントを連結する代替的な連結システムの一例では、１つまたは複数のベルクロ（登録商標）ファスナを使用することができる。磁気連結システム７１１を以下により詳細に説明する。また、基板７１４を使用して、ベース部材７０１の残りのサブコンポーネントを取りつける。これらのサブコンポーネントは、保持部材７１６、電導性リング７２３ａ、固定電気端子７２４ａ、および電気絶縁リング７２５を含む。
【００９２】
本発明のシステム７００は、マウント７０２をベース部材７０１に固定するための２つの連結システムを含む二重保持機構７１０を有することがわかる。第１の磁気連結システムまたはデバイス７１１については既に手短に説明した。第２の連結システムは、上記の説明では選択的動作可能な機械的リテーナとも呼ばれた機械的連結システム７１２で、ベース部材７０１とマウント７０２の間に配置される。ベース部材７０１連結コンポーネントは、保持部材７１６を含む。保持部材７１６は基板７１４に取りつけられ、基板７１４にナットおよびボルトまたはネジなどの締結具で固定されるか、または接着されうる。保持部材７１６はいくつかの異なる形で構成することが可能である。例えば、保持部材７１６は、長方形の形であってもよく、基板７１４の両側に取りつけられるレールの集合体であってもよく、環状リングであってもよい。ベース部材７０１に対するマウント７０２の方向にかかわらず、保持部材７１６は、マウント７０２におけるそのそれぞれの部材に対して常に整列するという点において、環状リングが他の設計より有利である。長方形の設計またはレールは、２つ、４つまたは他の特定の方向においてのみ正確に接続されうる。保持部材７１６は、マウント７０２およびベース部材７０１が接続された後に、クリップが保持部材７１６の溝または他の幾何学構造の内部に嵌り、２つのユニットが分離するのを防ぐように、マウント７０２からクリップまたは同様の器具のようなグラバ部材７１５を受けるための溝、凹部、窪みまたは他の幾何学構造７１６ａをその外縁に有する。分離するためには、クリップ７１５が、保持部材７１６と共同してベース部材とマウントを保持する位置から、ベース部材からマウントを外す位置まで機械的に移動する必要がある。保持部材７１６はプラスチックまたは他の任意の好適な材料から形成されていてもよい。
【００９３】
ベース部材７０１とマウント７０２の間に電気結線７２６を設けることができる。例えば、ベース部材７０１上の電気結線は、ベース部材７０１からマウント７０２に電力を提供することができる。その電力を利用して機器、例えばマウント７０２に取りつけられているか、またはその一部である機器７０４に動力を与えることができる。例えば、電灯器具タイプの機器７０４を電力の受取側とすることができ、その場合は、電力は１００、１１５、２２０、２４０ＶＡＣまたは他の好適な線間電圧または他の電圧とする。電気結線は、信号接続として使用することもでき、その場合は、ある遠方の場所に対してマウント７０２に取りつけられた機器とデータの送受信を行うことになる。例えば、マウント７０２に取りつけられた機器７０４は煙検知機であってもよく、ある建物の中で１つまたは複数の機器の状態を監視する役割を担うリモート・コンピュータに信号接続を行うことができる。煙検知機がある問題（例えば電池充電量、高温または煙）を検知した場合に、煙検知機は信号接続を介して中央コンピュータにデータを送信し、コンピュータはそれに応じた行動をとることができる。電気結線を使用して、システム７００および／または機器７０４の状況を監視することもできる。例えば、中央コンピュータにデジタル送信する代わりに、信号を警報器パネルまたはいくつかの他の検出器に対する単純なコンタクト・クロージャとすることができる。
【００９４】
ベース部材７０１とマウント７０２の間の電気結線または電気連結装置は様々な形式をとることができ、いくつかの例としては、各々がベース部材７０１とマウント７０２の区間をそれぞれスパンする複数の固定端子または固定導電レールが挙げられる。当該電気連結装置は、適切な接続をなすために、マウント７０２およびベース部材７０１が互いに対して特定の方向で整列することを必要とすることもある。
【００９５】
電気結線７２６に対する他のアプローチとしては、それぞれベース部材７０１およびマウント７０２と連動する導電性環状リング７２３ａ／７２３ｂおよび中央に配置され固定された電気端子７２４ａ／７２４ｂが使用される。導電性環状リング７２３（それぞれ７２３ａ、７２３ｂと称する）、および固定端子７２４（それぞれ７２４ａ、７２４ｂと称する）は、ベース部材７０１とマウント７０２の間に電気信号および／または電力を接続したり、切断したりするための高速かつ安全な機構を提供する。さらに、当該電気接続構成は、マウント７０２に対するベース部材７０１の方向に左右されない。導電性リング７２３は、硬質または軟質のものとすることができる（または一方を硬質のものとし、他方を軟質のものとすることができる）。少なくとも１つの軟質の導電性リング７２３を使用することによって、相手の電気接続部品、例えば２つが接続される際の相手のベース部材７０１またはマウント７０２における他の導電リングとの接触が向上する。リング７２５は、固定端子７２４から導電性リング７２３を分離する。リング７２５は電気絶縁物質または他の物質から構成されうる。電磁シールドまたはインピーダンス整合特性が望まれる場合は、導電性を有することができる。リングそのものを、好適な電気絶縁特性を提供する空隙に代えてもよい。リング７２５は、導電性リング７２３ａを支持する支持部７２５ｓを含むことができる。図では、ベース部材７０１とマウント７０２の間の電気結線７２６が二本しか示されていないが、本発明は二本の結線に限定されず、ベース部材７０１とマウント７０２の間の電気結線の数は２つより少なくても多くてもよい。例えば、複数の電気結線が、それぞれ先の（半径方向内側）導電性リングよりわずかに大きな直径を有し、それぞれ相手のベース部材またはマウントに対する個別的な電気接続を示し、それぞれ絶縁リング７２５により近隣の導電性リングから分離される複数の導電性リング７２３を有することもできる。
【００９６】
図１９Ａから１９Ｄには、ベース部材７０１、保持部材７１６、環状導電性リング７２３ａ、固定端子７２４ａ、リング７２５、およびリング７２５の支持部７２５ｓが示されている。ワイヤ、バス結線などは、ある場所から導電性リング７２３ａ、固定端子７２４ａ、および／またはベース部材７０１の他の電気部材への電気接続を与えることができる。
【００９７】
図１７、２０および２１を参照すると、マウント７０２が示されている。マウント７０２はベース部材７０１に接続され、本発明のシステム７００の外殻を形成する。ベース部材７０１の場合は、マウント７０２はいくつかのサブコンポーネントをも含む。１つのサブコンポーネントとしてはカバー７３０がある。カバーは硬質プラスチック、または類似の物質で構成されうる。カバーは金属で、必要な場合は、電気結線７２６における短絡を避けるための好適な電気絶縁体を有することが可能である。電灯器具または煙探知器のような機器７０４に対する取付けプラットフォームを提供するために、カバーの面７３１を平坦にする。面７３１は、機器７０４への取付けを促進するために、または他の目的でいくつかの他の適切な形状をとることができる。当該機器は、それぞれの目的に応じて電動式であっても、電池稼動式であってもよい。必要な場合は、導電性リング７２３ａ、固定端子７２４ａ、および／またはマウント７０１における任意の他の端子から対応する機器７０４の端子を電気接続することができる。また、上述したように、機器７０４は、マウント７０２と一体化、または実質的に一体化していてもよい。
【００９８】
カバー７３０は、円形または他の適切な形状をとることができる内部案内リング７３２を有して、ベース部材７０１へのマウント７０２の接続を促進する。マウント７０２の設置を容易にするために、案内リング７３２をわずかに曲げることができる。マウント７０２の外壁７３３は、マウント７０２とベース部材７０１の間の領域におけるごみや埃の侵入を最小限に抑える役割を果たす。外壁７３３は、また、構造全体の強度を高めるとともに、システム７００の外観を向上させる。磁石マウントまたはスタンドオフ７３４は、磁石が外壁７３３の上面に適切に作用し、板７１４に接続または固定できるように、磁石７１３に対する取付け表面を拡大する。スタンドオフ７３４は、磁石７１３の動作に対する干渉を避けるためにプラスチックで構成することもできるし、他の物質で構成することもできる。磁石７１３および関連コンポーネントを以下により詳細に説明する。同様に、導電性リング・スタンドオフ７３６は、導電性リング７２３ｂも外壁７３３の上面に適切に作用するように、導電性リング７２３ｂに対する取付け表面を拡大する。
【００９９】
マウント７０２内の電気結線７２６は、ベース部材７０１内の電気結線と類似している。これらの電気結線は、電灯器具、遠隔機器にとデジタル通信するための信号接続、カバー上に取りつけられた機器が動作可能であるかどうかを示すコンタクト・クロージャの如き単純な状態検出などに応じた１１５ＶＡＣのような電力に対応しうる。電気結線のための連結装置は、ベース部材７０１の連結装置と類似している。この種の電気結線は、接続を物理的に取り除く（例えば端子からワイヤを切断する）必要なく電気信号の接続および切断を行う迅速かつ安全な手段を提供する。
【０１００】
マウント７０２をベース部材７０１に保持する２つの連結システムの第１のシステムは、磁気連結システム７１１である。その磁石７１３は、マウント７０２の設置または取外しの間にマウント７０２をベース部材７０１に保持する力を提供する。図１７、１８および２０に示されるように、カバー７３０に３つの磁石が取りつけられて、マウント７０２と任意の取付け型または一体型の機器７０４をベース部材７０１に固定するのに十分な保持力を提供する。用途に特有の結果を達成するために（例えば、磁石の数を増やすことによって保持力を高めるために、磁力を利用する場所を分散させるために、または磁性強度がより大きいまたは小さいより少ないまたは多い磁石を使用できるように、など）それより多くの、または少ない磁石を使用することができる。磁石７１３を接着剤または他の手段によって磁気スタンドオフ７３４に接着することもできるし、ネジのような締結具を用いて固定することもできる。磁気連結システム７１１の目的は、マウントの設置および取外しを行っている間、マウント７０２をベース部材７０１に保持することである。マウント７０２の設置および取外しを行っている間は、機械的連結システム７１２は選択的に分断されているため、この期間中は、機械的連結システム７１２は活性化していない。機械的連結システム７１２について、以下でより詳細に説明する。磁石７１３は、また、機械的連結システムが不意に外された場合に、マウント７０２をベース部材７０１に保持することになる。本発明の代替的な実施形態において、磁気連結システム７１１をベルクロ（登録商標）ファスナまたは類似のデバイスのような他の保持手段に代えることができる。当該保持機構は、例えば機械的連結システム７１２における移動のように部品を移動させる必要なく、通常通り部品を配置することによって動作可能である。
【０１０１】
磁気連結システム７１１に加えて、本発明は機械的連結システム７１２をも含む。磁気連結システム７１１と機械的連結システム７１２は並行動作し、一方の連結システムが故障しても、他方の連結システムがマウント７０２とベース部材７０１との接続を維持することになる。機械的連結システム７１２は、図１７から２１、およびいくつかの他の図面に示される引込クリップ・システム、タッチ・ラッチ（図３３から３６）またはスラム・ラッチのようないくつかの形をとることができる。
【０１０２】
機械的連結システム７１２の引込クリップ・システム７４０のタイプを使用してマウント７０２をベース部材７０１に固定することができる。引込クリップ・システム７４０において、クリップ７１５は、マウント７０２と一体的に形成され、ベース部材７０１の保持部材７１６と境を接している。次に図１７、１８、２０および２１を参照すると、クリップ・システム７４０をより詳細に観察することができる。クリップ７１５はクリップ・ホルダ７４１内に存在する。クリップ７１５は金属、プラスチック、または強度および柔軟性を与える任意の好適な物質でありうる。クリップ７１５は、クリップ・ホルダ７４１内の弾力性スプリング状支持体に支持された雄部７４２を有し、雄部７４２は、クリップ・ホルダ７４１内に効果的にスプリング装填され、クリップ・スロット７４４においてクリップ・ホルダ７４１から外に伸びる傾向を有する。クリップ雄部７４２は、ベース部材７０１の保持部材７１６と結合し、設置および取外しツール７０３の脱結合アーム７１７を挿入することによって引き抜くことが可能である。該ツールについては後により詳細に説明する。
【０１０３】
クリップ・ホルダ７４１は、設置および取外しツールの脱結合アーム７１７を受けるツール案内スロット７５０を含む。ツール案内スロット７５０は、図では、円の形を有するものとして示されているが、任意の幾何学構造を有して、例えばアーム７１７およびクリップと協働することができる。規定の断面形状のアーム７１７のみがツール案内スロットに嵌り込み、かつ／または機械的連結システム７１２を外すように、ツール案内スロット７５０の形状をアーム７１７の形状、例えば正方形、円形、六角形または一般的でない断面形状に合わせることができる。この形状合せは、部外者がベース部材７０１からマウント７０２を取り外すことを防ぐための防護策となりうる。
【０１０４】
ツール案内スロット７５０は、アーム７１７が挿入されると、アームがクリップ７１５をクリップ・ホルダ７４１の内部に押し込めることで、クリップの雄部７４２を保持部材７１６から外すように、クリップ７１５の表面に沿って経路を提供する。機械的連結器を取り外した後に、設置および取外しツール７０３を使用してマウント７０２に力を加えて磁気結合を切断し、それによってマウント７０２をベース部材７０１から取り外すことができる。マウント７０２をベース部材７０１に設置するには逆の手順を実施すればよいということになる。クリップ・ホルダ７４１は、止めピン７５３を収容する止めピン・ガイド７５２をも含む。止めピンについて以下により詳細に説明する。
【０１０５】
図１７および１８を参照すると、設置および取外しツール７０３は、取付けスロット７１８ｂ、またはポール７２０の如き伸長部材をベースに挿入することを可能にするソケットを有するベース７１８ａを含む。取付けスロット７１８ｂは、図面では、円の形状を有するものとして示されているが、当該形態に限定されるものではない。ポール７２０の挿入および使用により、設置および取外しツール７０３を通常は届かない領域に到達させて、例えば梯子のような他の高さ調節器具の助けを借りることなく、ベース部材７０１に対してマウント７０２を設置し、かつ／または取り外すことが可能になる。脱結合アーム７１７は、ベース７１８ａから伸び、マウント７０２の保持部材７１６に対して引っ掛かったり、または固定されたりしないように、保持クリップ７１５を案内スロット７５０に挿入してそれぞれのクリップの雄部７４２をクリップ・ホルダ７４１に固定する際に保持クリップ７１５を引き抜くための十分な長さを有する。また、脱結合アーム７１７、ならびにツール７０３の他の部分は、任意の取付け機器７０４を含めてマウント７０２を支持、操作、かつ／または配置するために必要な強度および安定性とともに、磁気連結システムを外すのに必要な力を提供する。脱結合アーム７１７は、止めピン７５３との連動を確保するためのノッチ７１７ａを有することができ、それについては以下に説明する。
【０１０６】
再び図２１Ａから２１Ｄを参照すると、マウント７０２を設置または取り外しながら、マウント７０２を設置および取外しツール７０３に安定的に接続させておくために、マウント７０２のクリップ・ホルダ７４１内に止めピンまたはクリップ７５３を含むことができる。止めピン７５３はノッチ７５４を含むとともに、設置および取外しツール７０３の脱結合アーム７１７における対応するノッチ７１７ａと境を接する表面７５４ａを含む。止めピンまたはクリップ７５３をスプリング７５５によって延長位置に維持し、マウント７０２とベース部材７０１を接続する際にベース部材７０１を打つことによってクリップ・ホルダ７４１に押し込む。止めピン７５３は、ツール案内スロット７５０に対して垂直に移動することで、約９０°の角度で設置および取外しツール７０３の脱結合アーム７１７と交差する。引込位置において、止めピン７５３のノッチ７５４とツール案内スロット７５０の位置が合うため、脱結合アーム７１７が移動するための傷害のない経路が確保される。しかし、マウント７０２がベース部材７０１に接続されない場合のように、止めピン７５３が伸長される場合は、ツール案内スロット７５０は止めピン表面７５４ａによって妨害され、物体が止めピン７５３を通過することを防ぐことができる。脱結合アーム７１７が完全にツール案内スロット７５０に挿入される場合は、脱結合アーム７１７のノッチ７１７ａは、止めピン７５３と整列する。止めピンが延長位置にある場合は、止めピン表面７５４ａは脱結合アーム・ノッチ７１７ａと連動する。これにより、脱結合アーム７１７はツール案内スロット７５０から除かれず、マウント７０１がツール７０３に効果的に固定される。
【０１０７】
ツール７０３は２つの脱結合アーム７１７を有するものとして示されているが、それは１つであっても複数であってもよく、クリップ７１５，および保持部材７１６と連結するための関連部品をそれに応じて改造して、いくつかの脱結合アームと協調的に機能するようにできることが理解されよう。部材７０１の任意の部分によって押し下げることが可能なクリップなどを使用する上でツール７０３上にマウント７０２を保持する同一または同様の方法を達成することが可能である。
【０１０８】
本発明のシステム７００を使用する上で、壁またはポールのような硬い部材にベース部材７０１を固定知ることが想定される。機器７０４を含めたマウント７０２を設置および取外しツール７０３に配置することになる。これを達成するために、引込ピン７５３を手でマウント７０２に押し込まなければならない。マウント７０２に対して引込ピン７５３を保持し、ツール７０３の脱結合アーム７１１をツール案内スロット７５０に挿入する。脱結合アーム７１７を完全にマウント７０２に挿入した後に、止めピン７５３を外すことで、マウント７０２をツール７０３に固定する。まだ完了していない場合は、ポール７２０をマウントに挿入し、止めネジ７１９ｂを締めて、ポール７２０をソケット７１８Ｂにしっかりと締め込む。ポールを使用し、アセンブリをベース部材７０１に対して配置する。磁気連結システム７１１は、マウント７０２とベース部材７０１の接続を維持するための保持力を提供する。マウント７０２をベース部材７０１に連結する際に、止めピン７５３をマウントに押し込むことで、止めピン７５３のノッチ７５４とツール案内スロット７５０の位置を合わせる。これにより、脱結合アーム７１７が通過するためのツール案内スロット７５０に妨害されていない経路が確保されるため、脱結合アーム７１７をマウント７０２から引き抜くことが可能になる。脱結合アーム７１７をマウントから取り除いた後に、クリップ７４０がクリップ・スロット７４４から伸び、ベース部材の保持部材７１６と結合することで、ベース部材７０１とマウント７０２を固定する。
【０１０９】
ベース部材７０１からマウント７０２および機器７０４を取り外すために、ツール７０３をマウント７０１の方へ配置する。脱結合アーム７１７をツール案内スロット７５０に挿入することで、クリップ７４０をクリップ・ホルダ７４１に戻し、マウント７０２をベース部材７０１から外す。磁気連結システム７１１は、ベース部材７０１とマウント７０２を保持している。ポール７２０を利用して、マウント７０２に力を加えて、ベース部材７０１とマウント７０２の間の磁性結合を壊す。マウント７０２をベース部材７０１から分離する際に、止めピン７５３を伸長し、ツール案内スロット７５０に止めピン７５３の表面７５４ａを配置する。脱結合アームのノッチ７１７ａは表面７５４ａと連動して、脱結合アーム７１７の移動を防ぐことで、ツール７０３にマウントを固定する。そこで、マウントを安全に地面の高さまで下げることができる。
【０１１０】
図２２から２７を手短に参照すると、マウント７０２’の他の実施形態が示されている。マウント７０２’とマウント７０２の違いは、マウント７０２’は４つの磁石７１３を含むことである。図２２から２７に見られるように、４つの磁石７１３はカバー７３０のそれぞれの支持体上に配置され、それらの磁石は円形のカバー７３０のまわりに配される。磁石はカバー７３０の円周に沿ってすべて均等に間隔を設けて配置されるわけではないが、上述したように、好適な保持機能を提供するように配される。
【０１１１】
マウント７０２’が図２２から２７に示されているが、クリップ・スロット７４４、クリップ・ホルダ７４１およびツール案内スロット７５０の形状および配列がはっきりと確認できるようにクリップ７１５が省略されている。また、リング接触部に対する支持体表面７２５ｓおよび固定端子に対する支持体７２４ｂ’の形状および配列がはっきりと確認できるように、環状リング接触部７２３ｂおよび固定端子７２４ｂも図２２から２７には示されていない。図２３および２４には断面図が示されており、それらの図から、単一の一体化した材料、例えばプラスチック、金属または他の材料からマウント７０２’も様々な部分が成型または形成されうることがわかる。
【０１１２】
ここで、図２８から３２を参照すると、本明細書に開示されるシステム７００等の様々な実施形態に対する二重保持機構のいくつかの代替的な実施形態が示されている。図２８から３２に示される二重保持システムは、上述した様々なタイプの磁気保持機構、または例えばベルクロ・ファスナや磁石などのように接触または近接に基づいて機能するいくつかの他の保持機構を含む。さらに、図２８から３２の二重保持システムは、図１５のラッチ機構５１０について例示および説明したのと同様のラッチ機構を含む。
【０１１３】
図２８および２９に見られるように、システム７００”は、ベース部材７０１”、マウント７０２”、磁気保持機構７１１および機械的保持機構７６０を有する。機械的保持機構は二組の受金具部材７６１ａ、７６１ｂおよび７６２ａ、７６２ｂを含む。受金具部材７６２は、受金具部材７６１ａ、７６１ｂに対して移動可能になるように可動ラッチ・アーム５１２’に取りつけられる。ラッチ・アーム５１２’は可動式で、例えばマウント７０２”のカバー７３０’の底壁に沿うとともに、それと平行に滑動可能である。ラッチ・アーム５１２ａは、磁気保持機構の中央に配置された磁石６１３に対するスペースを考慮した半円状の部分を有する。要望に応じて、上述したように、電気端子、接触部などに対して利用可能なマウント７０２”のカバーの中央部を残してカバー７３０’の外周部の周囲に磁石を配することができる。
【０１１４】
スプリング偏向レバー・アーム５２６は、ラッチ・アーム５１２’を図２８および２９の例に対して右側に移動させ、受金具部材７６２を動かして、それぞれの受金具部材７６１ａ、７６１ｂに引っ掛けたり、またはそれらと連動させたりする。図１５について上述したように、例えばソケット５２０にポール（またはロッドなど）７２０を挿入することにより、レバー・アーム５２６およびラッチ・アーム５１２’を左側に移動させて、それぞれの組の受金具部材を外し、または解除し、かつ／またはポールが取り除かれるまで、受金具部材が互いに干渉することなくマウントをベース部材に設置するために、受金具部材７６２を受金具部材７６１に対して位置をずらして移動させる。ポール７２０をソケット５２０に挿入した状態で、マウントをベース部材に取りつけることができ、磁石保持機構によってベース部材にマウントを保持し、次いでポールをソケットから取り除いて、上記受金具の機械的保持機構にマウントとベース部材を保持させることが可能である。
【０１１５】
図３０から３２には、一般に図２８および２９に示されたタイプのラッチ・アームおよび受金具の代替的な構成が示されている。図３０から３２に示した図は、それぞれのマウント７０２”のカバー７３０を「上から見た」図である。受金具部材７６１、７６２と類似したそれぞれの組の受金具部材マウントは７６３で示されており、組７６３の受金具部材７６２部分は、マウント７０２”に関連し、受金具部材７６１はベース部材７０１”に存在することが理解されるであろう。
【０１１６】
図３０では、四組の受金具部材７６３ａから７６３ｄが存在し、可動式ラッチ・アームは、それぞれの受金具部材７６２を支持するように連結され、上述のようにソケット５２０内のスプリング偏向レバー・アーム５２６によって移動するように連結された３つの部品５１２ａ、５１２ｂ、５１２ｃを含む。
【０１１７】
図３１の実施形態では、同じく４組の受金具部材７６３ａから７６３ｄが存在し、可動式ラッチ・アームも３つの部品５１２ａ、５１２ｂ、５１２ｃ’で構成される。しかし、可動式ラッチ・アームの部品５１２ｃ’は、可動式ラッチ・アームの部品５１２ｂが図の例に対して左側に移動すると、可動式ラッチ・アームの部品５１２ｂの左端の受金具部材７６３ｃの組の受金具部材７６２が左側に移動するのに対して、可動式ラッチ・アームの部品７１２ｃ’の（図示した）上端の受金具部材７６３ｄの組の受金具部材７６２が右側に移動するように、軸ピン７６４のまわりを回動可能になっている。この場合、受金具部材７６３ｄの組の受金具部材７６１の方位は、図２９における受金具部材７６１ａの反対方向に向いている。したがって、その組の受金具部材７６３ａおよび７６３ｄは反対方向に作用して、ベース部材７０１”に対してマウント７０２”を保持し、機械的保持機構の保持機能の安定性および安全性を高めることができる。
【０１１８】
図３２には、機械的保持機構の受金具部材７６３ａから７６３ｂの他の実施形態または構成が示されている。本実施形態において、スプリング７６５は、弾力的に可動式ラッチ・アーム５１２の部品、そして受金具部材７６３ａから７６３ｂを固定された状態にする。しかし、ポール７２０をソケット５２０へ挿入すると、ラッチ・アーム５１２の部品、そしてそれぞれの受金具部材７６３ａおよび７６３ｂに関連する受金具部材７６２が解除または解放状態になって、マウント７０２”がベース部材７０１”からの取外しが促進される。本実施形態において、スプリング７６５は、スプリング偏向レバー・アーム５２６のバネ力を補強することができ、または固定状態への復帰力の唯一の提供手段であることができ、後者の場合には、スプリング偏向レバー・アーム５２６の代わりに、ソケット５２０に回動可能に取りつけられたアームを使用できる。
【０１１９】
先述したように、機械的連結システム７１２は、タッチ・ラッチおよび／またはスラム・ラッチのようないくつかの異なる実施形態で具現化することができる。図３３から３６を参照すると、本発明のタッチ・ラッチの形態が示されている。ベース部材７０１が図３３および３４に示されている。受口７７０は、ベース部材７０１における円形の穴で、タッチ・ラッチ７７２を受ける。受口７７０の直径は、タッチ・ラッチ７７２の直径より小さいため、タッチ・ラッチが受口を通過することを防ぐことができる。例えば、それがセンタリング・ガイドとして作用する。補強板７７４は、受口７７０に強度を付加し、（以下に説明する）タッチ・ラッチ固定アームに対する主要なラッチ点になっている。ベース部材７０１は、ベース部材７０１とマウント７０２の接続を促進する補強案内リングとしても機能する外壁７７６を含む。上部案内リング７７８は、さらに、マウント７０２をベース部材７０１に押し込んでタッチ・ラッチ７７２を切り換える際にマウント７０２の移動の案内を支援する。
【０１２０】
図３５および３６を参照すると、タッチ・ラッチ・システムの一部を含むマウント７０２を観察することができる。下部案内リング７８６は、ベース部材７０１の上部案内リング７７８と境を接して、タッチ・ラッチ７７２を操作する際にマウント７０２をベース・ユニット７０１の方へ誘導するのを支援する。タッチ・ラッチ７７２は、ベース部材７０１の受口７７０と境を接して、ベース部材にマウントを固定する。先述したように、タッチ・ラッチ７７２の直径は受口７７０の直径より大きいため、タッチ・ラッチが受口を通過することを防ぐことができる（上方向が示されているが、方向は重要ではない）。固定アーム７８２が伸長されると、受口７７０が配置されている補強板７７４からラッチを引き抜くことができなくなる（下方向）。したがって、固定アーム７８２を伸長すると、タッチ・ラッチは「上方」にも「下方」にも移動できなくなる。タッチ・ラッチは所定の位置に固定される。タッチ・ラッチ７７２は、ラッチが押し下げられる毎に状態が変化する（固定状態または解除状態）。例えば、固定された状態で始まって、マウント７０２がベース部材７０１のほうへ押されると、ラッチが切り換わって固定アームを引き抜く。引込アーム７８２は、「下方」移動が避けられなくなるため、マウント７０２が取り外されることになる。逆に、マウント７０２をベース部材７０１に接続し、それら２つを押しつけると、ラッチの状態が再び切り換わって、固定アーム７８２を伸長させ、マウント７０２をベース部材７０１に固定する。スプリング７８４は、ラッチが押し下げられる毎にタッチ・ラッチを延長位置に戻す力を提供する。
【０１２１】
ラッチを外すのに、ドアの握りをひねったり、または解除ボタンを押したりするなどの何らかの外力が必要であるという点において、スラム・ラッチは扉のラッチに類似している。ラッチを固定するには、単にその合せ部材に対してラッチを押しつければよい。
【図面の簡単な説明】
【図１】
ベースが天井に固定され、マウントが、マウントの内部に受容されるベースに対して磁気的に保持された、第１のサブアセンブリ（ベース）および第２のサブアセンブリ（マウント）のアセンブルされた断面側面図である。
【図２】
図１に示されたベースおよびマウント集成体の下から見た下部平面図である。
【図３】
天井に固定されたベースの断面側面図である。
【図４】
図１および図２に示されたベースの下から見た下部平面図である。
【図５】
天井に固定されたマウント（ベース不図示）の断面側面図である。
【図６】
図５に示されたマウントの下から見た下部平面図である。
【図７】
その下面に煙検知器および警報器アセンブリ（「煙警報器」）が固定されたマウントが磁気的に連結されたベースを含む連結器の側面断面図である。
【図８】
図５に示されたマウントによって与えられる下面より大きい下面を有するマウントを含む連結器の側面断面図である。
【図９】
その下面に煙警報器が固定されるマウントにベースを連結する懸垂手段を提供する環状溝に下部周辺縁が固定されるベースを含む連結器の側面断面図である。
【図１０】
図５に示されたマウントによって与えられる下面より大きい下面を有することが必要とされるマウントを含む他の連結器の側面断面図である。
【図１１】
天井における一対の電線に「固定接続」され、マウントを介して煙警報器の２つの端子に電気接続されたベースを含む連結器の側面断面図である。
【図１２】
天井における３本の電線に「固定接続」され、マウントを介して煙警報器の３つの端子に電気接続されたベースを含む他の連結器の側面断面図である。
【図１３】
煙警報器のベースが磁気的に連結されたベースを含み、煙警報器のカバーの中心部にソケットまたは他のロッド取付け手段が設けられ、点線で示されるように、任意にソケットが周辺に固定されるとともに、その内部がねじ切りされていてもよい連結器の側面断面図である。
【図１４】
煙警報器のベースが磁気的に連結されたベースを含み、カバーの中心部に指状突起が固定され、点線で示されるように、任意に指状突起が周辺に固定される連結器の側面断面図である。
【図１５】
取外し可能ラッチ手段に連結されたベースおよびマウントを含む連結器の概略側面断面図である。
【図１６】
一対の照明器具を担持するマウントが干渉固定されたベースを含み、マウントの中心部に内部がねじ切りされたソケットが設けられた連結器を図解した側面断面図である。図１０の取付部の平面部材の代わりにコンポーネント取付け床が使用される。
【図１７】
二重保持機構を採用した本発明の遠隔着脱連結システムの分解等角図である。
【図１８】
図１７のシステムの分解断面図である。
【図１９Ａ】
図１７のシステムのベース部材の下面図である。
【図１９Ｂ】
図１７のシステムの保持部材の側面図である。
【図１９Ｃ】
図１７のシステムの取付けリングと環状リング接触部の概略的側面図である。
【図１９Ｄおよび１９Ｅ】
それぞれ図１７のシステムの環状リング接触部の上面図
および側面図である。
【図２０】
図１７のシステムのマウントのそれぞれのクリップを示すために部分的に分解した上面図である。
【図２１Ａ】
図１７のシステムのマウントのクリップ・ホルダおよびクリップ・スロットの断片的正面図である。
【図２１Ｂ】
図１７のシステムのマウントのクリップ・ホルダ、クリップ・スロットおよびクリップの断片的正面断面図である。
【図２１Ｃ】
図２１Ｂの矢印２１Ｃ−２１Ｃの方向から全体的に見た固定ピンを有するクリップ・ホルダの断片的前面図である。
【図２１Ｄ】
固定ピンの正面図である。
【図２２】
マウントの他の実施形態の上面図である。
【図２３】
図２２の矢印２３−２３の方向から全体的に見たマウントの断面図である。
【図２４】
図２２の矢印２４−２４の方向から全体的に見たマウントの断面図である。
【図２５】
図２２のマウントの側面図である。
【図２６】
図２５の矢印２６−２６の方向から全体的に見たマウントの上面断面図である。
【図２７】
機器が取りつけられていないその外側から見上げたマウントの下面図である。
【図２８】
機械的ラッチを含む二重保持システムを有するマウントの他の実施形態の概略部分上面図である。
【図２９】
図２８に示されたタイプの機械的ラッチを有する遠隔着脱連結システムの実施形態の概略部分上面図である。
【図３０】
他の実施形態の滑動ラッチ機構の概略部分上面図である。
【図３１】
ラッチ機構の懸垂部材の１つの方向を逆転させる回転運動を伴う滑動ラッチ機構の他の実施形態の概略部分上面図である。
【図３２】
バネ復帰を伴う滑動ラッチ機構の他の実施形態の概略部分上面図である。
【図３３】
本発明のタッチ・ラッチの実施形態のベース部材の概略部分断面図である。
【図３４】
本発明のタッチ・ラッチの実施形態のベース部材の下面図である。
【図３５】
本発明のタッチ・ラッチの実施形態のマウントの概略断面図である。
【図３６】
本発明のタッチ・ラッチの実施形態のマウントの上面図である。
【国際公開パンフレット】
2004515728.tif 000003
2004515728.tif 000004
2004515728.tif 000005
2004515728.tif 000006
2004515728.tif 000007
2004515728.tif 000008
2004515728.tif 000009
2004515728.tif 000010
2004515728.tif 000011
2004515728.tif 000012
2004515728.tif 000013
2004515728.tif 000014
2004515728.tif 000015
2004515728.tif 000016
2004515728.tif 000017
2004515728.tif 000018
2004515728.tif 000019
2004515728.tif 000020
2004515728.tif 000021
2004515728.tif 000022
2004515728.tif 000023
2004515728.tif 000024
2004515728.tif 000025
2004515728.tif 000026
2004515728.tif 000027
2004515728.tif 000028
2004515728.tif 000029
2004515728.tif 000030
2004515728.tif 000031
2004515728.tif 000032
2004515728.tif 000033
2004515728.tif 000034
2004515728.tif 000035
2004515728.tif 000036
2004515728.tif 000037
2004515728.tif 000038
2004515728.tif 000039
2004515728.tif 000040
2004515728.tif 000041
2004515728.tif 000042
2004515728.tif 000043
2004515728.tif 000044
2004515728.tif 000045
2004515728.tif 000046
2004515728.tif 000047
2004515728.tif 000048
2004515728.tif 000049
2004515728.tif 000050
2004515728.tif 000051
2004515728.tif 000052
2004515728.tif 000053
2004515728.tif 000054
2004515728.tif 000055
2004515728.tif 000056
2004515728.tif 000057
2004515728.tif 000058
2004515728.tif 000059
2004515728.tif 000060
2004515728.tif 000061
2004515728.tif 000062
2004515728.tif 000063
2004515728.tif 000064
2004515728.tif 000065
【国際公開パンフレット（コレクトバージョン）】
2004515728.tif 000066
2004515728.tif 000067
【国際調査報告】
2004515728.tif 000068
2004515728.tif 000069